(57)【要約】【課題】  セパレートタイプでありながらも、幅方向印刷に適した印刷画像の作成・印刷およびラベル作成を簡易且つ迅速に行うことができる印刷システム、印刷システムのラベル作成方法、プログラムおよび記憶媒体を提供する。【解決手段】  長手方向印刷と幅方向印刷とのいずれかを選択して、データサーバ（パソコンＰＣ等：供給装置）ＤＳからインタフェースＩＦを介してテープ印刷装置１（１Ｂ、１Ｃ）に供給する通信用データに基づいて、テープ印刷装置１により印刷画像をテープに印刷し、それをテープの幅方向にカットしてラベルを作成する。【選択図】  図４６
2011063032.tif 000002
【特許請求の範囲】
【請求項１】
印刷画像データに基づいて印刷を行うと共に、カット指示信号に基づいてテープを幅方向にカットしてラベルを作成するテープ印刷装置に対し、データを供給する供給装置であって、
キャラクタ列の並び方向が前記テープの幅方向に一致する幅方向印刷を行うための複数行のキャラクタ列を入力する入力手段と、
各キャラクタ列を表す印刷画像の前記テープの長手方向のサイズである印刷幅を行毎に指定する行毎印刷幅指定手段と、
前記ラベルの前記長手方向の分割数と、分割された各ラベルの前記長手方向のサイズであるラベル幅を指定する分割ラベル幅指定手段と、
前記複数行のキャラクタ列を示すキャラクタデータに、前記行毎印刷幅指定手段および前記分割ラベル幅指定手段の指定結果を含む付随情報を付随し、ファイルとして登録するファイル登録手段と、
登録されたファイルのうち、印刷対象のファイルを指定するファイル指定手段と、
指定された前記印刷対象のファイルの、前記キャラクタデータおよび前記行毎印刷幅指定手段の指定に基づく前記印刷画像データと、前記分割ラベル幅指定手段の指定結果に基づく前記カット指示信号と、を前記テープ印刷装置に対して送信するデータ送信手段と、を備えたことを特徴とする供給装置。
【請求項２】
前記行毎印刷幅指定手段および分割ラベル幅指定手段は、数値入力により、それぞれ前記印刷幅および前記ラベル幅を指定することを特徴とする請求項１に記載の供給装置。
【請求項３】
請求項１または２に記載の供給装置と、前記テープ印刷装置と、を備えたことを特徴とする印刷システム。
【発明の詳細な説明】
【技術分野】
【０００１】
本発明は、印刷画像データをテープ印刷装置に供給する供給装置および印刷システムに関する。
【背景技術】
【０００２】
従来から、単体（スタンドアロン）のテープ印刷装置では、キャラクタ列の並び方向がテープの長手方向に一致する長手方向印刷の他に、キャラクタ列の並び方向がテープの幅方向に一致する幅方向印刷が可能なものが知られている。この種のテープ印刷装置では、長手方向印刷に合わせて、キャラクタ列を作成・編集し、そのキャラクタ列の画像を、９０°回転させて、幅方向印刷用の印刷画像を作成し、そのままの文字サイズあるいは少し縮小させて幅方向に印刷している（例えば、特許文献１参照）。
【先行技術文献】
【特許文献】
【０００３】
【特許文献１】特開２０００−１４１７７４号公報（図５〜図６等）
【発明の概要】
【発明が解決しようとする課題】
【０００４】
しかしながら、一般に、上述の種のテープ印刷装置では、長手方向印刷を基本とするので、幅方向印刷を前提としてキャラクタ列を作成・編集したり、そのキャラクタ列画像を並べた印刷画像の印刷やラベル作成等についての、肌理の細かい各種設定を行うことはできない。まして、セパレートタイプでは、幅方向印刷ができるものも知られていない。
【０００５】
本発明は、セパレートタイプでありながらも、幅方向印刷に適した印刷画像の作成・印刷およびラベル作成を簡易且つ迅速に行うことができる供給装置および印刷システムを提供することを目的とする。
【課題を解決するための手段】
【０００６】
本発明の供給装置は、印刷画像データに基づいて印刷を行うと共に、カット指示信号に基づいてテープを幅方向にカットしてラベルを作成するテープ印刷装置に対し、データを供給する供給装置であって、キャラクタ列の並び方向がテープの幅方向に一致する幅方向印刷を行うための複数行のキャラクタ列を入力する入力手段と、各キャラクタ列を表す印刷画像のテープの長手方向のサイズである印刷幅を行毎に指定する行毎印刷幅指定手段と、ラベルの長手方向の分割数と、分割された各ラベルの長手方向のサイズであるラベル幅を指定する分割ラベル幅指定手段と、複数行のキャラクタ列を示すキャラクタデータに、行毎印刷幅指定手段および分割ラベル幅指定手段の指定結果を含む付随情報を付随し、ファイルとして登録するファイル登録手段と、登録されたファイルのうち、印刷対象のファイルを指定するファイル指定手段と、指定された印刷対象のファイルの、キャラクタデータおよび行毎印刷幅指定手段の指定に基づく印刷画像データと、分割ラベル幅指定手段の指定結果に基づくカット指示信号と、をテープ印刷装置に対して送信するデータ送信手段と、を備えたことを特徴とする。
上述の供給装置において、行毎印刷幅指定手段および分割ラベル幅指定手段は、数値入力により、それぞれ印刷幅およびラベル幅を指定することが好ましい。
本発明の印刷システムは、上述の供給装置と、前記テープ印刷装置と、を備えたことを特徴とする。
なお、以下の構成としても良い。
本発明の印刷システムは、キャラクタ列の並び方向がテープの長手方向に一致する長手方向印刷および前記並び方向が前記テープの幅方向に一致する幅方向印刷のいずれかを選択して、前記キャラクタ列の画像を配置した印刷画像を表現する通信用データを用意して、これを送信可能なインタフェースを介して供給する供給装置と、前記通信用データを前記インタフェースを介して受信して、前記通信用データに基づいて前記印刷画像をテープに印刷し、それを前記テープの幅方向にカットしてラベルを作成するテープ印刷装置と、を備えたことを特徴とする。
【０００７】
また、本発明のラベル作成方法は、供給装置とテープ印刷装置とを備えた印刷システムの前記供給装置において、キャラクタ列の並び方向がテープの長手方向に一致する長手方向印刷および前記並び方向が前記テープの幅方向に一致する幅方向印刷のいずれかを選択して、前記キャラクタ列の画像を配置した印刷画像を表現する通信用データを用意して、これを送信可能なインタフェースを介してテープ印刷装置に供給し、前記テープ印刷装置において、受信した前記通信用データに基づいて前記印刷画像をテープに印刷し、それを前記テープの幅方向にカットしてラベルを作成することを特徴とする。
【０００８】
この印刷システムおよびそのラベル作成方法では、供給装置において長手方向印刷と幅方向印刷とのいずれかを選択して、供給装置からインタフェースを介してテープ印刷装置に供給する通信用データに基づいて、テープ印刷装置により印刷画像をテープに印刷し、それをテープの幅方向にカットしてラベルを作成するので、セパレートタイプでありながらも、幅方向印刷による印刷画像の印刷およびラベル作成ができる。
【０００９】
また、上述の印刷システムにおいて、前記供給装置は、前記幅方向印刷に際して前記印刷画像を作成するための幅方向印刷画像作成用データを、前記印刷画像に対応するファイルとして登録するファイル登録手段と、前記幅方向印刷が選択されたときに、登録されたファイルのうちの印刷対象のファイルを指定するファイル指定手段と、を有し、前記印刷画像の画像データである印刷画像データは、指定された前記印刷対象のファイルの前記幅方向印刷画像作成用データに基づいて作成され、前記テープ印刷装置は、前記印刷画像データに基づいて前記印刷画像を印刷する印刷手段を有することが好ましい。
【００１０】
この印刷システムでは、幅方向印刷用の例えばキャラクタ画像展開用のテキストデータやその他付随情報（例えばドットマップなどで用意される要素画像データ等）などの印刷画像作成用データを、印刷画像に対応するファイルとして登録しておけば、幅方向印刷が選択されたときに、登録されたファイルのうちの印刷対象のファイルを指定することで、そのファイルに基づいて対応する印刷画像を作成して印刷できる。この場合、長手方向印刷のためのファイルの流用でなく幅方向印刷のためのファイルを用意するので、幅方向印刷に適した内容（情報）の登録ができ、従来のように長手方向印刷のための機能を利用し且つその印刷画像を流用（９０°回転等）して作成するのに比べて、幅方向印刷に適した印刷画像の作成・印刷およびラベル作成を簡易且つ迅速に行うことができる。
【００１１】
また、上述の印刷システムにおいて、前記供給装置は、前記印刷画像データを作成する供給元印刷画像作成手段を有し、前記インタフェースは、前記通信用データに前記印刷画像データを含んで送信可能であることが好ましい。
【００１２】
この印刷システムでは、供給装置において、指定された印刷対象のファイルの印刷画像作成用データに基づいて印刷画像データを作成でき、作成された印刷画像データを通信用データに含んで送信することが可能なので、これにより、テープ印刷装置において、受信した印刷画像データに基づいて印刷画像を印刷でき、指定された印刷対象のファイルに基づいて、幅方向印刷に適した印刷画像の作成・印刷およびラベル作成を簡易且つ迅速に行うことができる。
【００１３】
また、上述のファイル登録手段を備えた各印刷システムにおいて、前記インタフェースは、指定された前記印刷対象のファイルの前記幅方向印刷画像作成用データを前記通信用データに含んで送信することが可能であり、前記テープ印刷装置は、受信した前記幅方向印刷画像作成用データに基づいて前記印刷画像データを作成する供給先印刷画像作成手段をさらに有することが好ましい。
【００１４】
この印刷システムでは、指定された印刷対象のファイルの印刷画像作成用データを通信用データに含んで送信することが可能であり、テープ印刷装置において、受信した印刷画像作成用データに基づいて印刷画像データを作成できるので、それに基づいて印刷画像を印刷でき、指定された印刷対象のファイルに基づいて、幅方向印刷に適した印刷画像の作成・印刷およびラベル作成を簡易且つ迅速に行うことができる。
【００１５】
また、同様に、上述のファイル登録手段を備えた各印刷システムにおいて、前記供給装置は、前記幅方向印刷が選択されたときに、前記ラベルの前記長手方向のサイズとして、ラベル幅を設定するラベル幅設定手段をさらに有し、前記ファイル登録手段は、設定された前記ラベル幅の情報を、前記ファイルの付随情報に含ませて登録する付随情報登録手段を有し、前記印刷画像が印刷された前記テープを前記ラベル幅に合わせてカットするカット処理を指示するためのカット指示データは、前記ファイルの付随情報に含まれる前記ラベル幅の情報に基づいて生成され、前記テープ印刷装置は、前記カット指示データに基づいて前記カット処理を行うカット手段をさらに有することが好ましい。
【００１６】
この印刷システムでは、幅方向印刷が選択されたときに、ラベルのテープ長手方向のサイズとして、ラベル幅を設定でき、それをファイルの付随情報に含ませて登録できるので、例えばラベル幅の指定が異なるファイルの作成などの他の作業をした直後であっても、登録されたファイルを読み出すだけで、ラベル幅の再設定等を要することなく、所望の印刷画像の作成〜印刷および所望のラベル幅のラベル作成を簡易且つ迅速に行うことができる。
【００１７】
また、上述の印刷システムにおいて、前記供給装置は、前記カット指示データを生成する供給元カット指示生成手段を有し、前記インタフェースは、前記通信用データに前記カット指示データを含んで送信可能であることが好ましい。
【００１８】
この印刷システムでは、供給装置において、ファイルの付随情報に含まれるラベル幅の情報に基づいて生成でき、生成されたカット指示データを通信用データに含んで送信することが可能なので、これにより、テープ印刷装置において、受信したカット指示データに基づいてテープのカット処理ができ、指定された印刷対象のファイルに基づいて、幅方向印刷によるラベル作成を簡易且つ迅速に行うことができる。
【００１９】
また、上述のラベル幅の情報を、付随情報に含ませて登録する各印刷システムにおいて、前記インタフェースは、指定された前記印刷対象のファイルの付随情報に含まれる前記ラベル幅の情報を前記通信用データに含んで送信することが可能であり、前記テープ印刷装置は、前記カット指示データを生成する供給先カット指示生成手段をさらに有することが好ましい。
【００２０】
この印刷システムでは、指定された印刷対象のファイルの付随情報に含まれるラベル幅の情報を通信用データに含んで送信することが可能であり、テープ印刷装置において、受信したラベル幅の情報に基づいてカット指示データを生成できるので、それに基づいてテープのカット処理ができ、指定された印刷対象のファイルに基づいて、幅方向印刷によるラベル作成を簡易且つ迅速に行うことができる。
【００２１】
また、同様に、上述のファイル登録手段を備えた各印刷システムにおいて、前記供給装置は、前記ファイル登録手段に登録可能なファイルを記憶した記憶媒体を装着可能な装着手段をさらに有することが好ましい。
【００２２】
この印刷システムでは、供給装置は、ファイル登録手段に登録可能なファイルを記憶した記憶媒体を装着できるので、各種の記憶媒体を装着するだけで、新たな各種のファイルを記憶（登録して用意）することができ、セパレートタイプでありながらも、幅方向印刷に適した印刷画像の作成・印刷およびラベル作成をさらに簡易且つ迅速に行うことができる。
【００２３】
また、同様に、上述のファイル登録手段を備えた各印刷システムにおいて、前記供給装置は、所定のネットワークを介して他の装置と接続され、前記他の装置から前記ファイル登録手段に登録可能なファイルを受信可能な上位通信手段を有することが好ましい。
【００２４】
この印刷システムでは、供給装置は、所定のネットワークを介して他の装置と接続され、他の装置からファイル登録手段に登録可能なファイルを受信可能な受信できるので、各種の装置から受信するだけで、新たな各種のファイルを記憶（登録して用意）することができ、セパレートタイプでありながらも、幅方向印刷に適した印刷画像の作成・印刷およびラベル作成をさらに簡易且つ迅速に行うことができる。
【００２５】
また、同様に、上述のファイル登録手段を備えた各印刷システムにおいて、前記供給装置は、前記長手方向印刷に際しての印刷画像を作成するために長手方向印刷画像作成用データの編集を行うための長手方向印刷用データ編集手段と、前記登録されたファイルのいずれかを指定して、指定されたファイルの前記幅方向印刷画像作成用データを前記長手方向印刷画像作成用データに変換するデータ変換手段と、を有することが好ましい。
【００２６】
この印刷システムでは、供給装置において、長手方向印刷に際しての印刷画像を作成するために長手方向印刷用の（印刷画像作成用の）データの編集ができるが、（幅方向印刷用に）登録されたファイルのいずれかを指定して、指定されたファイルの幅方向印刷用の（印刷画像作成用の）データを長手方向印刷用のデータに変換できるので、幅方向印刷用に登録してあるデータを長手方向印刷に流用できて利便性が高く、全体としての操作性や作業効率が高くなっている。
【００２７】
また、本発明のプログラムは、上述した各印刷システムの各手段を機能させることを特徴とする。
【００２８】
また、本発明の別のプログラムは、上述のラベル作成方法を実行可能なことを特徴とする。
【００２９】
これらのプログラムは、プログラム処理可能な印刷システムによって処理されることにより、セパレートタイプでありながらも、幅方向印刷に適した印刷画像の作成・印刷およびラベル作成を簡易且つ迅速に行うことができる。
【００３０】
また、本発明の記憶媒体は、上述した各プログラムを、プログラム処理可能な印刷システムによって読出可能に記憶することを特徴とする。
【００３１】
プログラム処理可能な印刷システムにおいて、この記憶媒体に記憶されたプログラムを読み出して実行することにより、セパレートタイプでありながらも、幅方向印刷に適した印刷画像の作成・印刷およびラベル作成を簡易且つ迅速に行うことができる。
【発明の効果】
【００３２】
上述のように、本発明の供給装置および印刷システムによれば、セパレートタイプでありながらも、幅方向印刷に適した印刷画像の作成・印刷およびラベル作成を簡易且つ迅速に行うことができる、などの効果がある。
【図面の簡単な説明】
【００３３】
【図１】本発明の一実施形態に係るテープ印刷装置の外観平面図である。
【図２】テープ印刷装置の外観斜視図であり、蓋体を起こした状態を示す図である。
【図３】テープ印刷装置の制御系のブロック図である。
【図４】印刷結果や切断結果の一例を示す説明図である。
【図５】テープ印刷装置の制御全体の概略処理を示すフローチャートである。
【図６】印刷をするときの一例を示す表示画面およびその表示画面上での典型的な操作の説明図、並びに、その印刷による印刷結果の一例を示す説明図である。
【図７】第１実施形態として、幅方向印刷の一種である「自由幅印刷」の機能のうちの「ファイル作成」を行う場合の典型的な操作の一例を示す説明図である。
【図８】図７に続き、「自由幅印刷」の「ファイル作成」を「全体ラベル幅指定」で行う場合の一例を示す、図７と同様の説明図である。
【図９】図８に続き、「ファイル作成」を「全体ラベル幅指定」の「印刷幅自動」で行う場合の一例を示す、図７と同様の説明図である。
【図１０】図９の方法で「ファイル作成」を行った場合の、「ファイル印刷」による印刷結果およびそれによるラベル作成結果の一例を示す説明図である。
【図１１】テキストデータの入力内容が異なる別の一例を示す、図７と同様の説明図である。
【図１２】第２実施形態として、図８に続き、「ファイル作成」を「全体ラベル幅指定」の「全体印刷幅指定」で行う場合の一例を示す、図７と同様の説明図である。
【図１３】図１２の方法で「ファイル作成」を行った場合の一例を示す、図１０と同様の説明図である。
【図１４】別の一例を示す、図１３と同様の説明図である。
【図１５】さらに別の一例を示す、図１３と同様の説明図である。
【図１６】第３実施形態として、図８に続き、「ファイル作成」を「全体ラベル幅指定」の「行毎印刷幅指定」で行う場合の一例を示す、図７と同様の説明図である。
【図１７】図１６に続く、図１６と同様の説明図である。
【図１８】図１７に続く、図１６と同様の説明図である。
【図１９】図１８に続き、主にカーソル操作の一例について示す、図１６と同様の説明図である。
【図２０】図１９に続く、図１６と同様の説明図である。
【図２１】図２０に続き、主にカーソル操作とエラー報知等の一例について示す、図１６と同様の説明図である。
【図２２】図１６〜図２０の方法で「ファイル作成」を行った場合の一例を示す、図１０と同様の説明図である。
【図２３】別の一例を示す、図２２と同様の説明図である。
【図２４】第４実施形態として、図７に続き、「自由幅印刷」の「ファイル作成」を「分割ラベル幅指定」で行う場合の、図７と同様の説明図である。
【図２５】図２４に続く、図２４と同様の説明図である。
【図２６】図２５に続き、「ファイル作成」を「分割ラベル幅指定」の「印刷幅自動」で行う場合の一例を示す、図７と同様の説明図である。
【図２７】図２４〜図２６、図２８および図２９の方法で「ファイル作成」を行った場合の一例を示す、図１０と同様の説明図である。
【図２８】別の一例を示す、図２４と同様の説明図である。
【図２９】さらに別の一例を示す、図２４と同様の説明図である。
【図３０】図２８に続き、「ファイル作成」を「分割ラベル幅指定」の「全体印刷幅指定」で行う場合の一例を示す、図７と同様の説明図である。
【図３１】図３０の方法で「ファイル作成」を行った場合の一例を示す、図１０と同様の説明図である。
【図３２】別の一例を示す、図３１と同様の説明図である。
【図３３】「自由幅印刷」の機能のうちの「ファイル印刷」を行う場合の一例を示す、図７と同様の説明図である。
【図３４】図３３に続く、図３３と同様の説明図である。
【図３５】別の一例を示す、図３４と同様の説明図である。
【図３６】図３５に続く、図３３と同様の説明図である。
【図３７】図３５〜図３６の方法で「ファイル作成」を行った場合の一例を示す、図１０と同様の説明図である。
【図３８】「自由幅印刷」の機能のうちの「ファイル複数印刷」を行う場合の一例を示す、図７と同様の説明図である。
【図３９】図３８に続く、図３８と同様の説明図である。
【図４０】図３９に続く、図３８と同様の説明図である。
【図４１】図４０に続く、図３８と同様の説明図である。
【図４２】図３８〜図４１の方法で「ファイル作成」を行った場合の一例を示す、図１０と同様の説明図である。
【図４３】図３３に続き、主にエラー報知等の一例について示す、図３３と同様の説明図である。
【図４４】「自由幅印刷」の機能のうちの「ファイル複数印刷」を行う場合の一例を示す、図７と同様の説明図である。
【図４５】第５実施形態に係る印刷システムの第１の構成例を示す説明図である。
【図４６】第２の構成例を示す、図４５と同様の説明図である。
【図４７】図４５および図４６の第１および第２の構成例におけるテープ印刷装置の制御系を示す概略ブロック図である。
【図４８】第３の構成例を示す、図４５と同様の説明図である。
【図４９】図４７の第３の構成例についての、図４７と同様の説明図である。
【発明を実施するための形態】
【００３４】
以下、本発明の一実施形態に係るテープ印刷装置について、添付図面を参照しながら詳細に説明する。
【００３５】
図１および図２に示すように、このテープ印刷装置１は、装置ケース（装置本体）２により外殻が形成され、その後部上面には、左側に開閉蓋２１が開閉自在に取り付けられており、開閉蓋２１の右隣には、それを開閉操作するための開閉釦２３が窪入して配設されている。また、前部中央面には、露出ランプ群を有する三日月形状部８が盛上り形成され、三日月形状部８の後方には、各種のキーからなるキーボード３が広く配設されている。また、キーボード３の上側には、これを開閉自在に覆う大型の蓋体９が前後中間部に取り付けられており、蓋体９の内側の面には、ディスプレイ４が組み込まれている。
【００３６】
蓋体９は、閉塞状態では、キーボード３を覆い隠して保護し、開蓋状態では、右後部のヒンジを中心に後上方斜め姿勢に開放され、手前にキーボード３を開放すると共に、正面にディスプレイ４を配置し、キーボード３による入力作業を可能状態とする。ディスプレイ４は、台形の形状の内側に長方形の表示画面４１を有しており、この表示画面４１にキーボード３からの入力結果等が表示されるようになっている。
【００３７】
また、図３に示すように、テープ印刷装置１は、基本的な構成として、キーボード３やディスプレイ４を有してユーザとのインタフェースを行う操作部１１と、印刷ヘッド（サーマルヘッド）７やテープ送り部１２０を有してポケット（カートリッジ装着部、テープ装着部）６内に装着したテープカートリッジＣの印刷テープ（以下単に「テープ」）Ｔに印刷を行う印刷部１２と、印刷後のテープＴの各種カットを行う切断部１３と、各種センサを有して各種検出を行う検出部１４と、各種ドライバを有して各部回路を駆動する駆動部１５と、テープ印刷装置１内の各部を制御する制御部２０と、を備えている。
【００３８】
このため、装置ケース２の内部には、印刷部１２、切断部１３、検出部１４などの他、図外の回路基板が収納されている。この回路基板には、電源ユニットの他、駆動部１５や制御部２０の各回路などが搭載され、ＡＣアダプタ接続口２４や外部から着脱可能なニッカド電池等の図外の電池に接続されている。
【００３９】
また、図４に示すように、テープＴは、剥離テープＴａと基材テープＴｂとを積層して成るものであり、基材テープＴｂは、印刷面となる表面（印刷対象面）側の受像層Ｔｃと、その裏面（粘着面）側に設けられた粘着層Ｔｄとで構成されている。印刷済みのテープＴ（ラベル要素（印刷画像）Ｇａまたはラベル領域Ｌａ）は、基材テープＴｂから剥離テープＴａを分離することで粘着層Ｔｄが露出し、この粘着層Ｔｄを介して貼着対象物に貼り付けて使用される。
【００４０】
図１〜図３に示すように、印刷部１２には、開閉蓋２１の内側にポケット６が設けられていて、テープカートリッジＣは、この開閉蓋２１を開放した状態でポケット６に対して着脱される。また、装置ケース２の左側部には、ポケット６と装置外部とを連通してテープＴの印刷済み部分を送り出すためのテープ排出口２２が形成されている。
【００４１】
テープカートリッジＣは、カートリッジケース５１により外殻を形成され、その内部には、一定の幅（４．５ｍｍ〜４８ｍｍ程度）のテープＴとインクリボンＲが収容されており、印刷ヘッド７が臨む貫通開口５５が形成されている。テープＴは、剥離テープＴａを内側にしてテープリール５２に繰り出し自在に巻回され、インクリボンＲは、リボン繰出リール５３およびリボン巻取リール５４に巻回されている。そして、テープカートリッジＣには、収容するテープＴのテープ幅として、複数種類のものが用意されている。
【００４２】
また、テープＴとインクリボンＲとが重なる部分には、印刷ヘッド７に対応して、プラテンローラ（プラテン）５６が収納されている。テープカートリッジＣが装着された状態で、印刷ヘッド７が貫通開口５５から露出しているインクリボンＲの裏面に当たり、発熱駆動されて所望の文字などがテープＴの表面に印刷される。
【００４３】
また、テープカートリッジＣの裏面には、相異なる幅等のテープＴの種別を識別できるように小さな複数の検出孔（図示せず）が設けられ、これに対応して、ポケット６には、各検出孔の有無を検出するマイクロスイッチなどのテープ識別センサ１４１が設けられていて、テープＴの有無（正確にはテープカートリッジＣが装着されているか否か）およびテープＴの種別（正確にはテープカートリッジＣの種別）を検出できるようになっている。なお、複数の検出孔の代わりにビットパターンの検出ラベル等の貼付により種別を表し、それを光検出等によって検出しても良い。
【００４４】
また、ポケット６には、ＤＣモータから成る送りモータ１２１を駆動源として、プラテン５６に係合してこれを回転させるプラテン駆動軸６６と、同様にリボン巻取りリール５４に係合してこれを回転させる巻取り駆動軸６４と、位置決めピン６２とが、それぞれ立設されている。
【００４５】
テープ送り部１２０は、ポケット６の側方から下方に亘る空間に配設され、ポケット６の側方に配設された送りモータ１２１を動力（駆動）源として、上記のプラテン駆動軸６６および巻取り駆動軸６４を回転させるものであり、送りモータ１２１と、プラテン駆動軸６６と、巻取り駆動軸６４と、送りモータ１２１の動力を各駆動軸に伝達する図外の減速歯車列と、送りモータ１２１の回転数を検出するための図外のエンコーダと、を備えている。このエンコーダは、送りモータ１２１の主軸に固定されたウォームの同軸上の先端に固着され、円盤状の周方向の複数箇所に検出開口が形成されている。
【００４６】
検出部１４の送りモータ回転検出センサ１４２は、上記のエンコーダの検出開口に臨むように発光素子と受光素子とが対向配置された図外のフォトセンサを備え、発光素子の光が回転する検出開口を通過して受光素子に受光され、受光された光の明滅が光電変換され、パルス信号として制御部２０に出力され、そのパルス数より回転数が検出される。
【００４７】
ここで、テープ印刷装置１をユーザが使用する場合には、先ず、開閉釦２３により開閉蓋２１を開放する。ポケット６にテープカートリッジＣを装着すると、プラテン５６およびリボン巻取リール５４に、プラテン駆動軸６６および巻取駆動軸６４がそれぞれ係合し、且つテープＴおよびインクリボンＲがプラテン５６と印刷ヘッド７との間に挿入される。そして、開閉蓋２１を閉塞すると、テープＴおよびインクリボンＲを挟むように、テープ幅方向に発熱素子を列設した印刷ヘッド７が回動してプラテン５６を圧接し、印刷待機状態となる。
【００４８】
この状態で、蓋体９を開蓋して、キーボード３を開放し、正面に位置させたディスプレイ４を参照しながらキーボード３を操作して、所望の文字等のキャラクタの印刷情報を入力・編集して、印刷実行を指示する。これにより印刷処理が起動され、送りモータ１２１の駆動により繰り出されるテープＴとインクリボンＲとが、印刷ヘッド７の部分で重なって併走し、これに同期して印刷ヘッド７が発熱駆動され、インクリボンＲのインクがテープＴに熱転写して印刷が行われる。
【００４９】
印刷後のインクリボンＲは、リボン巻取リール５４に巻き取られ、印刷後のテープＴは、送り経路に沿ってテープ排出口２２に向かって送られ、印刷が終了すると、印刷済みのテープＴは、所定長さ分送られて停止し、後述の各種設定に応じて、切断部１３により各種カットが行われる（図４参照）。
【００５０】
次に、切断部１３には、ポケット６とテープ排出口２２との間に、送り経路に臨んでフルカッタ部（フルカット手段）１３Ｆが上流側に、ハーフカッタ部（ハーフカット手段）１３Ｈが下流側に配設されている。フルカッタ部１３Ｆは、テープＴの基材テープＴｂと剥離テープＴａとの双方をカット（フルカット）するものであり、例えばテープＴからその印刷済み部分であるラベル領域Ｌａを切り離すためのものである（図４（ｂ）のフルカット（フルカット部）ｆｃ参照）。一方、ハーフカッタ部１３Ｈは、最終的にラベルとして貼付される基材テープＴｂのみをカット（ハーフカット）し、テープＴとしては剥離テープＴａを介して連結した状態のまま残すためのものである（図４（ｃ）のハーフカット（ハーフカット部）ｈｃ参照）。
【００５１】
フルカッタ部１３Ｆは、例えばハサミ形式のカッタやスライドカッタ等から成るフルカッタ１３２と、ＤＣモータから成るフルカッタモータ１３１を駆動源としてフルカッタ１３２を作動させるカッタ作動機構（図示省略）と、を備えている。また、ハーフカッタ部１３Ｈは、斜刃で構成したカッタ刃を有するハーフカッタ１３４と、同じくＤＣモータから成るハーフカッタモータ１３３を駆動源としてハーフカッタ１３４を作動させるカッタ作動機構（図示省略）と、を備えている。この場合、ハーフカッタ１３４は、カッタ作動機構により循環運動するように構成されており、この循環運動の一過程である下側から上側への移動がハーフカッタ１３４の切断動作となって、テープＴをハーフカットする。
【００５２】
なお、フルカッタモータ１３１やハーフカッタモータ１３３には、前述の送りモータ１２１のものと同様の図外のエンコーダがそれぞれ設けられ、検出部１４のフルカッタモータ回転検出センサ１４３やハーフカッタモータ回転検出センサ１４５は、前述の送りモータ回転検出センサ１４２と同様に、それぞれの上記のエンコーダと、その検出開口に臨むように発光素子と受光素子とが対向配置されたそれぞれのフォトセンサと、を有し、回転する検出開口を通過して受光素子に受光された光の明滅が光電変換され、パルス信号として制御部２０に出力され、そのパルス数より回転数が検出される。また、検出部１４のフルカッタホーム位置検出センサ１４４やハーフカッタホーム位置検出センサ１４６は、フルカッタ部１３Ｆやハーフカッタ部１３Ｈのカッタ作動機構のそれぞれがホーム位置にあることを検出する。
【００５３】
そして、検出部１４は、それぞれ上述のテープ識別センサ１４１と、送りモータ回転検出センサ１４２と、フルカッタモータ回転検出センサ１４３と、フルカッタホーム位置検出センサ１４４と、ハーフカッタモータ回転検出センサ１４５と、ハーフカッタホーム位置検出センサ１４６と、を備えている。なお、実状に合わせて、これらを省略した構成とすることもできる。
【００５４】
次に、駆動部１５は、ディスプレイドライバ１５１と、ヘッドドライバ１５２と、モータドライバ１５３と、を備えている。ディスプレイドライバ１５１は、制御部２０から出力される制御信号に基づき、その指示に従って、操作部１１のディスプレイ４を駆動する。同様に、ヘッドドライバ１５２は、制御部２０の指示に従って、印刷部１２の印刷ヘッド７を駆動する。また、モータドライバ１５３は、印刷部１２の送りモータ１２１を駆動する送りモータドライバ１５３ａと、切断部１３のフルカッタモータ１３１を駆動するフルカッタモータドライバ１５３ｂと、同じく切断部１３のハーフカッタモータ１３３を駆動するハーフカッタモータドライバ１５３ｃとを有し、同様に制御部２０の指示に従って、各モータを駆動する。
【００５５】
次に、操作部１１は、キーボード３とディスプレイ４とを備えている。ディスプレイ４は、表示画像データに基づく表示画像を表示可能な表示画面４１を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００５６】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列され、種々の指示およびデータを制御部２０に入力する。機能キー群３２には、電源キー、印刷処理に関する指示をするための印刷キー、テキスト入力時のデータ確定や改行および選択画面における選択指示のための選択キー、並びに、それぞれ上下左右の方向へのカーソル移動や表示画面４１の表示範囲を移動させるための４個のカーソルキーなどが含まれる。なお、これらは、各キー入力毎に個別にキーを設けて入力しても良いし、シフトキー等と組み合わせてより少ない数のキーを用いて入力しても良い。
【００５７】
次に、制御部２０は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。
【００５８】
ＲＯＭ２２０は、ＣＰＵ２１０で処理する制御プログラムを記憶する制御プログラム領域２２１の他、色変換テーブル、文字修飾テーブル、などを含む制御データを記憶する制御データ領域２２２を有している。ＣＧ−ＲＯＭ２３０は、テープ印刷装置１に用意されている文字等（数字、記号、図形等を含む）のフォントデータを記憶していて、文字等を特定するコードデータが与えられたときに、対応するフォントデータを出力する。
【００５９】
ＲＡＭ２４０は、電源オフ時のバックアップがされていて、各種フラグ・レジスタ群２４１、テキストデータ領域２４２、表示画像データ領域２４３、印刷画像データ領域２４４、描画登録画像データ領域２４５、外字登録画像データ領域２４６、文字展開バッファ、印刷バッファなどの各種バッファ領域２４７などの領域を有し、制御処理のための作業領域として使用される。
【００６０】
なお、テープ印刷装置１では、キーボード３によりテキストデータをキー入力・編集する状態（テキスト編集状態）において、入力されたテキストデータをＲＡＭ２４０のテキストデータ領域２４２に格納すると同時に、それを画像展開して表示用の画像データ（表示画像データ）として表示画像データ領域２４３に格納し、随時、ディスプレイ４の表示画面４１に出力して表示する（このテキストデータ入力・編集時の表示画面４１の状態を、以下「テキスト編集画面」という）。また、このテキスト編集画面その他の画面表示状態で、各種設定に応じて編集した結果を印刷用の画像データ（印刷画像データ）として印刷画像データ領域２４４に格納する。
【００６１】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指示や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部１５に出力する。
【００６２】
そして、ＣＰＵ２１０は、上記の構成により、ＲＯＭ２２０内の制御プログラムに従って、Ｐ−ＣＯＮ２５０を介して各種検出信号、各種指示信号、各種データ等を入力し、ＣＧ−ＲＯＭ２３０からのフォントデータ、ＲＡＭ２４０内の各種データ等を処理し、Ｐ−ＣＯＮ２５０を介して駆動部１５に制御信号を出力することにより、印刷ヘッド７を制御して所定の印刷条件でテープＴに印刷するとともに、その印刷の位置制御やテープＴの各種切断（カット）制御あるいは表示画面４１の表示制御など、テープ印刷装置１全体を制御している。
【００６３】
次に、テープ印刷装置１の制御全体の処理フローについて、図５を参照して説明する。電源キーを押すこと（電源オン）により処理が開始すると、同図に示すように、まず、前回の電源オフ時の状態に戻すために、退避していた各制御フラグを復旧するなどの初期設定を行い（Ｓ１）、次に、前回の表示画面を初期画面として表示する（Ｓ２）。
【００６４】
同図のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力その他による割込を許可し、何らかの割込が発生するまでは、そのままの状態を維持し（Ｓ３：Ｎｏ）、何らかの割込が発生すると（Ｓ３：Ｙｅｓ）、それぞれの割込処理に移行して（Ｓ４）、その割込処理が終了すると、再度、その状態を維持する（Ｓ３：Ｎｏ）。
【００６５】
上述のように、テープ印刷装置１では、主な処理を割込処理により行うので、印刷画像作成などの準備ができていれば、ユーザが任意の時点で印刷指示を行うことにより、印刷指示割込が発生して、印刷処理が起動され、印刷画像データに基づいて印刷画像の印刷ができる。すなわち、印刷に至るまでの操作手順は、ユーザが任意に選択できる。
【００６６】
例えば図６に示すように、カーソルＫまでの１行目の文字（キャラクタ）列「ＡＢＣＤＥ」を入力後のテキスト編集画面表示の状態で（画面Ｄ１０：以下、表示画面４１の状態を画面Ｄｘｘとし、Ｄｘｘのみで説明および図示する。）、ユーザにより印刷キーが押されると、「印刷中」のメッセージの表示とともに（Ｄ１１）、文字列「ＡＢＣＤＥ」の文字列画像を印刷画像Ｇ００として印刷し、設定に応じてカットしてラベルＬ００を作成し（同図（ｂ）参照）、印刷が終了すると、元のテキスト編集画面に戻る（Ｄ１２：Ｄ１０と同じ）。なお、テープ印刷装置１では、ユーザは、キー入力による各種指示を取消キーにより取り消すことができ、例えば上述の状態（Ｄ１１）から取消キーを押すことにより、元のテキスト編集画面の表示状態（Ｄ１０）に戻すことができる。
【００６７】
ところで、テープ印刷装置１では、上述のように印刷画像内の文字列の並び方向がテープの送り方向（長手方向）に一致するように印刷する「長手方向印刷」（図６（ｂ）参照）ばかりでなく、文字列の並び方向がテープの幅方向に一致するように印刷する「幅方向印刷」ができ、さらには、その「幅方向印刷」に適した印刷画像の作成・編集・印刷およびラベル作成を簡易且つ迅速に行うことができるようにしている。以下、幅方向印刷の一種として、作成対象のラベルの幅（ラベル幅）を自由（任意）に設定できる「自由幅印刷」の場合を例に挙げて、第１実施形態として説明する。
【００６８】
本実施形態のテープ印刷装置１では、図７に示すように、例えば前述のテキスト編集画面の状態から（Ｄ１０）、機能キー群３２に含まれる自由幅印刷キーがユーザにより押される（操作される）と、「自由幅印刷」の第１階層の選択画面の選択肢を表示する（Ｄ２０）。なお、自由幅印刷キーの押下の代わりに、「特殊印刷」のメニュー画面を表示させ、その画面内で「自由幅印刷」を選択（指定）してこの選択画面に移行（画面遷移）させることもできる。
【００６９】
この選択画面（Ｄ２０）は、「自由幅印刷」についての各種機能のメニュー画面（以下「機能選択画面」）であり、ここでの選択肢には、「ファイル呼出」「ファイル作成」「ファイル削除」「ファイル印刷」「ファイル複数印刷」「ファイル複写」「テキスト変換」などが含まれ、カーソルＫにより指定され白黒反転表示（ネガ表示）された１の選択肢を選択候補とする状態で表示（以下「選択表示」）する。
【００７０】
ここでは、仕様上、画面遷移直後には、前回選択された選択肢（直近アクセスの選択肢であり、該当するものがない場合はデフォルトの選択肢）を選択表示する（Ｄ２０）。図示の例では、「ファイル作成」が選択表示された状態となっている。ただし、ユーザは、上述の状態から（Ｄ２０）、カーソル操作により他の選択肢を選択表示させることができる。また、ここでの「ファイル」とは、印刷画像のキャラクタ列画像の元になるテキストデータのまとまりであり、「自由幅印刷」における印刷画像の管理は、この「ファイル」を単位として行われる。
【００７１】
ここで、ユーザは、例えばカーソル操作により仮に「ファイル呼出」を選択表示させてから、選択キーを押せば（以下、この「選択表示」＋「選択キーの押下」の操作を「選択操作」という）、登録されている「ファイル」の中から所望（任意）の１を選択して呼び出すことができ、「ファイル削除」を選択操作すれば、登録された「ファイル」の中から所望（任意）の１を選択して削除することができ、「ファイル複写」を選択操作すれば、任意の１の「ファイル」の中から１を選択して新たな別の「ファイル」として登録できる。
【００７２】
他の選択肢のうちの「ファイル印刷」「ファイル複数印刷」「テキスト変換」については後述するものとし、ここでは、まず、基本となる「ファイル作成」について、以下に説明する。
【００７３】
上述の選択画面を表示した状態（Ｄ２０）で、各種カーソル操作と選択キーの操作（選択操作）により、「ファイル印刷」が選択されると、次に、新規登録する「ファイル」の番号の入力を促す入力画面を表示する（Ｄ２１）。ここでは、仕様上、画面遷移直後には、空き番号の最小値（図示の例では「０３」）をデフォルト表示する（Ｄ２１）。この状態から（Ｄ２１）、ユーザは、文字キー群３１に含まれる数字キーの操作により別の番号（例えば「０４」や「２２」等）を入力してから選択キーを押すことにより、他のファイル番号（「０４」や「２２」等）を選択できるが、既に登録済みの番号を入力したときには、無効となる（なお、ここで上書きする仕様にしても良いし、無効あるいは上書きの旨を示す警告等を表示させるようにしても良い）。
【００７４】
ここでは、ファイル番号「０３」のまま確定（選択キーの押下）がされたものとすると、次に、その下位階層の選択画面を表示する（Ｄ２２：図７、図８、図２４で共通）。この選択画面（Ｄ２２）は、作成するファイル番号「０３」のファイル（以下単に、ファイル「０３」と呼ぶ）、すなわちテキストデータと、それに基づいて作成されるラベルのラベル幅とをどのように関連づけるか、を選択するためのメニュー画面であり、ここでの選択肢には、「全体ラベル幅指定」「分割ラベル幅指定」などが含まれ、「全体ラベル幅指定」は、ファイル「０３」により１枚のラベルを作成することを目的として、その１枚のラベルのラベル幅を指定するための選択肢であり、「分割ラベル幅指定」は、複数枚のラベルに分割して作成することを目的として、各ラベル幅をそれぞれ指定するための選択肢である。
【００７５】
ここでは、図８に示すように、「全体ラベル幅指定」が選択操作されたものとすると、次に、下位階層の画面として、「全体ラベル幅」の入力を促す入力画面を表示する（Ｄ３０）。ここでは、画面遷移直後には、全体ラベル幅「００．０ｃｍ」をデフォルト表示するので、この状態から（Ｄ３０）、ユーザは、数字キーの操作により例えば「５４」（５４ｍｍ）を入力してから選択キーを押すことにより、全体ラベル幅＝５．４ｃｍ（５４ｍｍ）を指定できる。
【００７６】
全体ラベル幅が指定（入力）されると、次に、さらに下位階層の選択画面を表示する（Ｄ３１：図９と共通）。この選択画面（Ｄ３１）は、作成対象のラベル幅とは別に、印刷画像を印刷するときの幅（ラベルの幅方向且つテープの長手方向の長さ：以下「印刷幅」）をどのように設定するか、を選択するためのメニュー画面（印刷幅指定方法の選択画面）であり、ここでの選択肢には、「印刷幅自動」「全体印刷幅指定」「行毎印刷幅指定」などが含まれる（Ｄ３１〜Ｄ３３）。これらの選択肢のうち、「印刷幅自動」は、指定されているラベル幅に一致させる、すなわち「全体ラベル幅＝全体印刷幅」とする選択肢であり、「全体印刷幅指定」は、全体ラベル幅の指定に拘わらずに印刷画像全体の印刷幅（全体印刷幅）を指定するための選択肢であり、「行毎印刷幅指定」は、印刷画像に複数行の文字列が含まれる場合に、全体ラベル幅の指定に拘わらずに各行の印刷幅（行毎印刷幅）を個別に指定するための選択肢である。
【００７７】
なお、以下で「全体印刷幅」ＰＷとは、正確には印刷画像全体の印刷幅ではなく、「自由幅印刷」（幅方向印刷）用に作成され登録されたファイルのテキストデータに基づいて画像展開される文字列画像の、印刷画像内での展開（配置）領域の印刷幅であり、後述のように印刷画像全体の印刷幅には全体印刷幅ＰＷ以外に、前端側印刷マージン（前端側余白）ＰＭｓや後端側印刷マージン（後端側余白）ＰＭｅが含まれるが（図１３等参照）、前端側余白ＰＭｓ＝後端側余白ＰＭｅ＝０ｍｍでは、全体ラベル幅ＬＷ＝全体印刷幅ＰＷなので、「行毎印刷幅」等との区別のため、便宜上、「全体印刷幅」と呼称する。
【００７８】
また、以下では、上記の文字列画像（登録されたファイルのテキストデータに基づいて画像展開される文字列画像）以外の部分（上下左右の余白部や背景部）は、便宜上、文字通りの余白（空白画像）とするが、上記の文字列画像とは異なる地模様その他の画像（上記と異なれば文字画像や文字列画像でも良い）を配置することもできる。また、このため、これらの画像をドットマップなどによる要素画像データ等の形態で、後述のファイル登録の際のテキストデータと同様の印刷画像作成用データとして、あるいは付随情報に含める情報として、登録するようにしても良い。
【００７９】
ここでは、図９に示すように、上述の選択画面（Ｄ３１：図８と図９で共通）から、「印刷幅自動」が選択操作されたものとすると、次に、さらに下位階層の画面として、ファイル「０３」のテキストデータの入力・編集（幅方向のキャラクタ列入力）の画面を表示する（Ｄ４０）。
【００８０】
この入力画面（Ｄ４０）では、全体ラベル幅５．４ｃｍに対応して可能な文字列の行数である「３行」の文字列の入力を促すように、画面遷移直後には、１行目の先頭がカーソル指定されているので、通常のテキスト編集（図６等参照）と同様に、例えば１行目「千代田小学校」、２行目「  ２年２組」、３行目「    山本純一郎」と入力・編集して（Ｄ４１）、その後、シフトキー＋選択キーで確定すると、次に、さらに下位階層の画面として、文字サイズの設定画面を表示する（Ｄ４２）。
【００８１】
この設定画面（Ｄ４２）では、上記の入力行数「３行」が明示されるとともに、ラベル幅に対する相対的且つ抽象的な文字サイズ（抽象サイズ）指定が可能に成っていて、画面遷移直後には、１行目のデフォルトの抽象サイズ「中」がカーソル指定されている。
【００８２】
この設定画面の各行の選択肢には、「特大」「大」「中」「小」「極小」等があり、文字サイズが例えば「２の０．５乗」（いわゆる「ルート２」：√２）倍ずつ、すなわち「極小」の√２倍が「小」、「小」の√２倍が「中」、「中」の√２倍が「大」、「大」の√２倍が「特大」など、と相対的に規定されている。また、この場合、例えば各行が「大」「中」「特大」の３行と、各行が「小」「極小」「中」の３行とでは、各行相互間の相対的な文字サイズの関係は同じであるが、ドット数単位等の絶対サイズによる実際の文字サイズおよび余白（余白サイズ）は、例えば「大」「中」「特大」の３行では、余白を小さめにして文字サイズを全体的に大きくし、「小」「極小」「中」の３行では、余白を大きめにして文字サイズを全体的に小さくすることにより、これらを指定するユーザのイメージ（「大きめ」や「小さめ」などのイメージ：各抽象サイズの語のニュアンス）に沿うように決定して設定する。
【００８３】
ここでは、例えば各行が「中」「小」「大」の３行（上述の２例の中間的なイメージ）となるように選択して、その後、シフトキー＋選択キーで確定すると、ファイル「０３」のファイル作成を終了して、「自由幅印刷」の機能選択画面に戻る（Ｄ４３：図７のＤ２０と同じ）。この場合、機能選択画面に戻った時点で、ファイル「０３」が登録され、その登録の際には、上述の１〜３行目のテキストデータに加えて、それに付随する各種情報、例えば文字サイズ（抽象サイズ）や全体ラベル幅ＬＷ、さらには全体印刷幅ＰＷ（上述の例では全体ラベル幅ＬＷ＝全体印刷幅ＰＷ＝５４ｍｍ）などが、付随情報として登録される。
【００８４】
このため、この後、後述の「ファイル印刷」によりテープ幅ＴＷ＝３６ｍｍのテープＴにファイル「０３」の印刷を行うと、図１０に示すように、印刷ヘッド７により印刷画像Ｇ１０が印刷幅ＰＷ＝５４ｍｍで印刷され、ラベル幅ＬＷ＝５４ｍｍの前端のハーフカットｈｃおよび後端のフルカットｆｃにより、そのまま、（横）長さ３６ｍｍ×（縦）幅５４ｍｍのラベルＬ１０が作成される。
【００８５】
上述のように、テープ印刷装置１では、長手方向印刷と幅方向印刷が選択的に可能であるが、幅方向印刷では、ラベルにするときのテープ長手方向のサイズをラベル幅ＬＷとして設定し、幅方向印刷のためのキャラクタ列を入力し、ラベル幅ＬＷ内におけるキャラクタ列や余白の幅を配置幅として設定し、その配置幅に従って印刷画像Ｇ１０等を作成するので、従来のように長手方向印刷のための機能を利用し且つその印刷画像を流用（９０°回転等）して作成するのに比べて、簡易且つ迅速に印刷画像Ｇ１０等を作成でき、また、そのまま（一旦、長手方向印刷用に戻すことなく）編集でき、編集したままのイメージでそのまま印刷でき、設定されたラベル幅ＬＷに合わせてカットすることでラベルＬ１０等を作成できるので、幅方向印刷に適した印刷画像の作成・編集・印刷およびラベル作成を簡易且つ迅速に行うことができる。
【００８６】
また、印刷画像を作成するためのテキストデータをファイルとして登録でき、設定されたラベル幅や印刷幅を、ファイルの付随情報として登録できるので、例えばラベル幅や印刷幅の指定が異なるファイルの作成などの他の作業をした直後であっても、登録されたファイルを読み出すだけで、ラベル幅や印刷幅の再設定等を要することなく、所望の印刷画像の作成〜印刷および所望のラベル幅や印刷幅のラベル作成を簡易且つ迅速に行うことができる。
【００８７】
また、上述の３行の例のように、印刷画像Ｇ１０等が文字列画像を複数行有する場合、各行毎の幅や余白（行間を含む）毎の幅を簡易且つ迅速に配置幅として設定でき、しかも、各行毎の幅を「大」「中」等の相対的で抽象的な抽象サイズを用いて指定できるので、ユーザはドット数や実サイズ等の細かな指定を要することなく、頭に描くイメージなどに従って簡易に指定でき、その指定も単にメニューから選択するだけで良いので、さらに簡易且つ迅速に配置幅を設定できる。
【００８８】
なお、上述のメニューからの選択の代わりに、配置幅（各行の幅や余白の幅）を数値入力できるようにしても良い。この場合、数値入力によって、所望（任意）の設定幅を正確に設定でき、また微妙な調整ができる。特に後述の分割ラベルを指定する場合等では、各分割ラベルの幅に合わせて調整でき、有利となる。また、逆に上記の例では、全体ラベル幅は数値入力としたが、同様にメニューからの選択ができるようにしても良い。この場合、ＣＤ用、ＭＤ用、それらの各ケース表面用、各ケースサイド用等々、定型サイズのメニューから選択するだけで、簡易且つ迅速に、ラベル幅を設定できる。
【００８９】
また、上述の例では、文字（画像）を含む行ばかりを各行としたが、文字（列）を含まない空白行も設定できる。例えば図９で前述の入力画面の状態（Ｄ４０：図９と図１１で共通）から、図１１に示すように、１行目への入力無しで、２行目「    山本純一郎」が入力・編集され（Ｄ４４）、シフトキー＋選択キーで確定されると、文字が存在する最終行の２行目までを有効とし、１行目を空白行（スペースのみの行）とする。このため、下位階層の文字サイズの設定画面（Ｄ４５）では、行数「２行」を明示するとともに、１行目および２行目の各行に抽象サイズ指定が可能になり、例えば各行が「中」「小」となるように選択して、その後、シフトキー＋選択キーで確定すると、ファイル「０３」のファイル作成を終了して、「自由幅印刷」の機能選択画面に戻る（Ｄ４６：図７のＤ２０と同じ）。
【００９０】
なお、この場合、入力文字にはスペースも含む。このため、例えば３行目に１文字分以上のスペース「  」が入力されてからシフトキー＋選択キーで確定されると、文字（「  」を含む）が存在する最終行の３行目までを有効とし、１行目および３行目をスペースのみの空白行とし、文字サイズの設定画面では、行数「３行」を明示するとともに、１〜３行目の各行に抽象サイズ指定が可能になる。
【００９１】
ところで、上述の例は、「印刷幅自動」なので、「全体ラベル幅＝全体印刷幅」としたが、テープ印刷装置１では、印刷画像を印刷するためのテープＴの送り方向（長手方向）のサイズを、全体ラベル幅ＬＷに対応する全体印刷幅ＰＷとして設定できるので、幅方向印刷によってラベル作成を行うときの全体ラベル幅ＬＷと全体印刷幅ＰＷとの各種の組合せを、自在（任意）に調整して設定できる。以下、まず、全体ラベル幅ＬＷの指定に拘わらずに全体印刷幅ＰＷを指定するための「全体印刷幅指定」を例に挙げて、第２実施形態として説明する。
【００９２】
本実施形態のテープ印刷装置１では、図８で前述の全体ラベル幅指定後の選択画面（Ｄ３１〜Ｄ３３）において、図１２に示すように、「全体印刷幅指定」が選択操作されたものとすると（Ｄ３２：図８と図１２で共通）、次に、下位階層の画面として、「全体印刷幅」の入力を促す入力画面を表示する（Ｄ５０）。ここでは、画面遷移直後には、全体印刷幅「００．０ｃｍ」をデフォルト表示するので、ユーザは、数字キーの操作により例えば「３６」（３６ｍｍ）を入力してから選択キーで確定することにより、全体印刷幅＝３．６ｃｍ（３６ｍｍ）を指定できる。
【００９３】
全体印刷幅が指定されると、次に、さらに下位階層の選択画面を表示する（Ｄ５１）。この選択画面（Ｄ５１）は、指定した全体ラベル幅と全体印刷幅とが異なるサイズ（本例では全体ラベル幅ＬＷ＝５４ｍｍ、全体印刷幅ＰＷ＝３６ｍｍ）の場合、ラベルとなる部分（ラベルとしてカットする部分）とテープに印刷する印刷画像とのそれぞれの基準位置、すなわち全体ラベル幅ＬＷと全体印刷幅ＰＷのそれぞれの基準位置、をどこに設定するか、を選択するためのメニュー画面（基準位置選択画面）である。ここでの選択肢には、「前端合わせ」「中央合わせ」「後端合わせ」などが含まれる。「前端合わせ」は全体ラベル幅と全体印刷幅とのそれぞれの（テープ長手方向の）前端を基準位置とし、「中央合わせ」はそれぞれの中央を基準位置とし、「後端合わせ」はそれぞれの後端を基準位置とする選択肢である。
【００９４】
これらの選択肢のうち、仕様上、画面遷移直後には、前回選択された選択肢が選択表示されるが、ここでは、デフォルトの「前端合わせ」が選択操作されたものとすると、次に、さらに下位階層の画面として、テキストデータの入力画面を表示する（Ｄ５２）。
【００９５】
この入力画面（Ｄ５２）は、画面上側（タイトル部）にラベル幅５．４ｃｍだけでなく印刷幅３．６ｃｍが表示され、その他は図９で前述の入力画面（Ｄ４０）と同様の画面であり、可能な行数「３行」の文字列の入力を促すように、画面遷移直後には、１行目の先頭がカーソル指定されているので、この後（図９のＤ４０〜Ｄ４２と同様に）、１行目「千代田小学校」、２行目「  ２年２組」、３行目「    山本純一郎」と入力・編集して、さらに下位階層の設定画面で各行の抽象サイズを指定後、ファイル「０３」のファイル作成を終了して、「自由幅印刷」の機能選択画面に戻る（図９のＤ４３、図７のＤ２０参照）。
【００９６】
なお、この場合のファイル登録の際の付随情報には、上述の基準位置選択画面（図１２のＤ５１）で選択された基準位置（上述の例では「前端」）が含まれる。このため、後述の「ファイル印刷」によりファイル「０３」の印刷が指示されると、図１３（ａ）に示すように、「前端合わせ」なので全体印刷幅ＰＷ＝３６ｍｍの前端（基準位置）を全体ラベル幅ＬＷ＝５４ｍｍの前端（基準位置：ハーフカットｈｃの位置）に合わせるように、且つ後端側余白ＰＭｅ＝１８ｍｍを有するように、印刷画像Ｇ２１を作成して、例えばテープ幅ＴＷ＝３６ｍｍのテープＴに印刷し、ハーフカットｈｃおよび後端のフルカットｆｃにより、そのまま、（横）長さ３６ｍｍ×（縦）幅５４ｍｍのラベルＬ２１を作成する。
【００９７】
また、上述の基準位置選択画面（図１２のＤ５１）で、「中央合わせ」が選択操作され、その後同様にしてファイル作成を終了して、「ファイル印刷」によりファイル「０３」の印刷が指示されると、図１３（ｂ）に示すように、全体印刷幅ＰＷ＝３６ｍｍの中央（基準位置：前端と後端の中間位置）を全体ラベル幅ＬＷ＝５４ｍｍの中央（基準位置）に合わせるように、且つ前端側余白ＰＭｓ＝９ｍｍおよび後端側余白ＰＭｅ＝９ｍｍを有するように、印刷画像Ｇ２２を作成して、同様に印刷・カットを行うことにより、（横）長さ３６ｍｍ×（縦）幅５４ｍｍのラベルＬ２２を作成する。
【００９８】
また、同様に「後端合わせ」が選択操作されて（図１２のＤ５１）、ファイル作成を終了して、印刷が指示されると、図１３（ｃ）に示すように、全体印刷幅ＰＷ＝３６ｍｍの後端（基準位置）を全体ラベル幅ＬＷ＝５４ｍｍの後端（基準位置：フルカットｆｃの位置）に合わせるように、且つ前端側余白ＰＭｓ＝１８ｍｍを有するように、印刷画像Ｇ２３を作成して、同様に印刷・カットを行うことにより、（横）長さ３６ｍｍ×（縦）幅５４ｍｍのラベルＬ２３を作成する。
【００９９】
なお、テープ印刷装置１では、指定された全体ラベル幅ＬＷより大きな値の全体印刷幅ＰＷを指定することができる。例えば図８で前述の全体ラベル幅の入力画面（Ｄ３０）で「３６」（３６ｍｍ）を指定し、図１２で上述の全体印刷幅の入力画面（Ｄ５０）で「５４」（５４ｍｍ）を指定した場合、すなわち上述の例とは逆にＬＷ＜ＰＷの関係となり、全体ラベル幅ＬＷ＝３６ｍｍ、全体印刷幅ＰＷ＝５４ｍｍの場合、その後、同様に、基準位置選択画面（図１２のＤ５１）で基準位置が選択操作され、ファイル作成を終了して、印刷が指示されると、図１４に示すように、基準位置に拘わらずに全体印刷幅ＰＷ＝５４ｍｍの印刷画像Ｇ３１（図１０で前述の印刷画像Ｇ１０と同じになる：また、図１４内の印刷画像Ｇ３２、Ｇ３３も同じ）を作成し、その前端をハーフカットｈｃの位置に合わせるように印刷する。
【０１００】
ただし、上述の基準位置選択画面（図１２のＤ５１）で、「前端合わせ」が選択操作されていた場合、図１４（ａ）に示すように、「前端合わせ」なので全体ラベル幅ＬＷ＝３６ｍｍの前端が印刷画像Ｇ３１の前端と一致するように、全体ラベル幅ＬＷ＝３６ｍｍのラベルＬ３１ａをハーフカットｈｃにより作成するとともに、合計のラベル幅が全体印刷幅ＰＷ＝５４ｍｍと合うように、ラベルＬ３１ａの後端に連なるように後端付加（後余り）ラベル幅ＬＭｅ＝１８ｍｍのラベルＬ３１ｂを、ハーフカットｈｃおよびフルカットｆｃにより作成する。
【０１０１】
また、「中央合わせ」が選択操作されていた場合（図１２のＤ５１）、図１４（ｂ）に示すように、全体ラベル幅ＬＷ＝３６ｍｍの中央が全体印刷幅ＰＷ＝５４ｍｍの中央（前端と後端の中間位置）と一致するように、最初に前端付加（前余り）ラベル幅ＬＭｓ＝９ｍｍのラベルＬ３２ａをハーフカットｈｃにより作成し、その後端に連なるように全体ラベル幅ＬＷ＝３６ｍｍのラベルＬ３２ｂをハーフカットｈｃにより作成し、その後端に連なるように後余りラベル幅ＬＭｅ＝９ｍｍのラベルＬ３２ｃをフルカットｆｃにより作成する。
【０１０２】
また同様に「後端合わせ」が選択操作されていた場合（図１２のＤ５１）、図１４（ｃ）に示すように、全体ラベル幅ＬＷ＝３６ｍｍの後端が全体印刷幅ＰＷ＝５４ｍｍの後端と一致するように、最初に前端付加（前余り）ラベル幅ＬＭｓ＝１８ｍｍのラベルＬ３３ａをハーフカットｈｃにより作成した後、その後端に連なるように全体ラベル幅ＬＷ＝３６ｍｍのラベルＬ３３ｂをフルカットｆｃにより作成する。
【０１０３】
上述のように、テープ印刷装置１では、ラベルにするときのテープ長手方向のサイズを全体ラベル幅ＬＷとして設定でき、「印刷幅自動」を選択すれば、全体印刷幅ＰＷを全体ラベル幅ＬＷと同一のサイズに自動設定できるので、それを利用して簡易に全体印刷幅を決定して、印刷画像の作成〜ラベル作成をより簡易且つ迅速に行うことができるとともに、「全体印刷幅指定」を選択すれば、全体ラベル幅ＬＷに対応する印刷幅ＰＷを任意に設定できるので、幅方向印刷によってラベル作成を行うときの全体ラベル幅ＬＷと全体印刷幅ＰＷとの各種の組合せを、自在に調整して設定できる。また、この場合、全体ラベル幅ＬＷ以上のサイズを全体印刷幅ＰＷとして設定可能（図１４参照）なので、より自由に印刷幅を設定でき、ラベル幅と印刷幅とのさらに柔軟な組合せの設定が可能になる。
【０１０４】
また、印刷幅とラベル幅が異なるサイズの場合、印刷幅とラベル幅とのそれぞれの一端（前端または後端）や中央（前端と後端との中間位置）を基準位置として選択できるので、選択するだけで基準位置を簡易且つ的確に設定でき、また、設定された印刷幅の基準位置とラベル幅の基準位置とが一致するように印刷するので、所望の配置の印刷を正確に行うことができる。なお、印刷幅の基準位置とラベル幅の基準位置とは、上述の例のように同一の基準（例えば双方とも前端が基準位置など）が好ましいが、例えば一方は前端を基準位置とし、他方は後端を基準位置とするなど、別の基準で設けられても良い。
【０１０５】
また、上述の例では、印刷画像内に３行の文字列を含む例を挙げたが、例えば１行の文字列「２年２組」のファイルをファイル印刷する場合、図１５（ａ）に示すように、文字列の配置幅（文字サイズ）を小さめにするだけでなく、全体ラベル幅ＬＷ＝１８ｍｍより小さな全体印刷幅ＰＷ（図示の例ではＰＷ＝９ｍｍ且つ「中央合わせ」）を指定しておけば、その印刷画像Ｇ４１を作成して印刷することによって、小さな文字列「２年２組」の周囲に余白を多めに配置した（横）長さ３６ｍｍ×（縦）幅１８ｍｍのラベルＬ４１を作成できる。また、図１５（ｂ）に示すように、配置幅も大きめにし、全体ラベル幅ＬＷ＝１８ｍｍより大きな全体印刷幅ＰＷ（＝２４ｍｍ且つ「中央合わせ」）を指定しておけば、その印刷画像Ｇ４２の作成・印刷によって、文字列「２年２組」の上下等の一部を意図的に省略（削除）して一種の装飾を施したように見える同じ大きさ（３６ｍｍ×１８ｍｍ）のラベルＬ４２（作成されるラベルＬ４２ａ〜Ｌ４２ｃの中央のＬ４２ｂが相当）を作成できる。
【０１０６】
ところで、テープ印刷装置１では、上述の「印刷幅自動」（「全体ラベル幅＝全体印刷幅」）や印刷画像全体の印刷幅ＰＷを指定する「全体印刷幅指定」の他に、さらに自在且つ多様なラベル幅ＬＷと印刷幅ＰＷとの各種の組合せを可能にするため、印刷画像が複数行の文字列を含む場合に、各行を配置する幅（各行の配置幅：各行印刷幅：行毎印刷幅）を各行毎に個別に指定できる「行毎印刷幅指定」が選択できるので、これを例に挙げて、第３実施形態として説明する。
【０１０７】
本実施形態のテープ印刷装置１では、図８で前述の全体ラベル幅指定後の選択画面（Ｄ３１〜Ｄ３３）において、図１６に示すように、「行毎印刷幅指定」が選択操作されたものとすると（Ｄ３３：図８と図１６で共通）、次に、さらに下位階層の画面として、図１２で前述した画面（Ｄ５１）と同様の基準位置選択画面を表示する（Ｄ６０）。ここでは、前述の基準位置の選択肢「前端合わせ」「中央合わせ」「後端合わせ」のうちのいずれかが選択操作されたものとすると、次に、各行の印刷幅（行毎印刷幅）およびテキストデータの入力・編集の画面を表示する（Ｄ６１）。
【０１０８】
この入力画面（Ｄ６１）では、全体ラベル幅５．４ｃｍに対応して可能な文字列の行数である「３行」の文字列を配置する行毎印刷幅および対応するテキストデータの入力・編集を行う。画面遷移直後には、まず、１行目の行毎印刷幅の入力を促すように、その入力位置がカーソル指定されているので（Ｄ６１）、ユーザは、数字キーの操作により例えば数字「１２」（１２ｍｍ）を入力することにより、１行目の行毎印刷幅＝１．２ｃｍ（１２ｍｍ）を指定できる（Ｄ６２）。また、入力ミス等に気づいて編集（修正）したいときには、例えば１行目の行毎印刷幅＝１．５ｃｍ（１５ｍｍ）に変更したいときには、削除キーの押下により最後に入力した「２」を削除して（Ｄ６３：図１６と図１７で共通）、図１７に示すように、数字「５」を入力すれば、１行目の行毎印刷幅＝１．５ｃｍ（１５ｍｍ）に指定を変更できる（Ｄ６４）。
【０１０９】
１行目の行毎印刷幅を入力後（Ｄ６４）、選択キー押下により確定されると、次に、１行目のテキストデータの入力を促すように、その入力位置がカーソル指定されるので（Ｄ６５）、図９で前述の入力画面（Ｄ４０）からの入力・編集と同様に、１行目「千代田小学校」と入力・編集され、確定されると、２行目の行毎印刷幅の入力を促すように、その入力位置がカーソル指定される（Ｄ６７：図１７と図１８で共通）。
【０１１０】
続いて、図１８に示すように、１行目と同様に、２行目の行毎印刷幅を例えば数字「１０」（１０ｍｍ）と入力され、確定されると、次に、同様に２行目のテキストデータの入力位置がカーソル指定されるので（Ｄ６８）、ここでは、例えば何も入力しないで、確定されると、次に、３行目の行毎印刷幅の入力位置がカーソル指定される（Ｄ６９）。ここで同様に、例えば数字「２０」（２０ｍｍ）と入力され、確定されると、次に、同様に３行目のテキストデータの入力位置がカーソル指定される（Ｄ６８）。
【０１１１】
ここで、例えば３行目「    山本純一郎」と入力・編集されると、１行目〜３行目の行毎印刷幅が確定され、１行目「千代田小学校」が入力され、２行目を空白行とし、３行目「    山本純一郎」と入力された状態となる（Ｄ７１：図１８と図１９で共通）。
【０１１２】
なお、行毎印刷幅およびテキストデータの入力・編集の画面表示状態では、既に行毎印刷幅が設定された行の範囲且つ入力済みの範囲内では、例えば図１９に示すように、ユーザは、カーソル操作によりカーソル指定位置を自由に移動させることができる。
【０１１３】
上記の状態（Ｄ７１）からは、例えば左カーソルの７回の押下により、３行目のテキストの先頭（Ｄ７２）、さらに１回で３行目の行毎印刷幅の最下桁（Ｄ７２）、さらに２回で最上桁、さらに１回で２行目の末尾（Ｄ７５）に画面遷移（移行）でき、３行目の各画面（Ｄ７３、Ｄ７２およびＤ７１）からは、上カーソルの押下毎に、２行目の各画面（Ｄ７４、Ｄ７５およびＤ７５）、１行目の各画面（Ｄ７６、Ｄ７７およびＤ７７）、に移行できる。画面左側から右側方向には右カーソル、１行目から３行目の方向には下カーソルによって、上記の左カーソルや上カーソルと同様にカーソル移動できる。なお、テキストの末尾（例えばＤ７１およびＤ７８）からの上下移動では、点線矢印で図示のように末尾相互間を移動する（Ｄ７１→Ｄ７９→Ｄ７８およびＤ７８→Ｄ７９→Ｄ７１）ような仕様としても良い。
【０１１４】
また、ユーザは、上記のようにカーソル指定位置を自由に移動させた後に、そのカーソル指定位置に対する編集（追加、削除、変更）を行うことができ、例えば図２０に示すように、２行目のテキストの先頭がカーソル指定された状態（Ｄ７５：図１９と図２０で共通）から、例えば２行目「  ２年２組」と入力・編集されると、１行目〜３行目の行毎印刷幅が確定され、１行目「千代田小学校」、２行目「  ２年２組」、３行目「    山本純一郎」と入力された状態、すなわちテキストについては図９等で前述のテキストと同内容が入力された状態、となる（Ｄ８０：図２０と図２１で共通）。ただし、入力・編集終了後、シフトキー＋選択キーで確定されると、図９の例とは異なり（各行の抽象サイズを指定する必要がないので）、直接、ファイル「０３」のファイル作成を終了して、「自由幅印刷」の機能選択画面に戻る（Ｄ８１：図７のＤ２０と同じ）。
【０１１５】
なお、上述の入力・編集の画面表示状態（Ｄ８０）では、図１９で前述と同様に、カーソル操作によるカーソル移動ができ、図２１に示すように、例えば上下カーソルによる他行相互間の移動（行間移動）や左右カーソルによる同一行内の移動（一部は行間移動）ができる（Ｄ８３〜Ｄ８６）。ただし、既に行毎印刷幅が設定された行の範囲且つ入力済みの範囲内でのみカーソル移動ができるので、図１９では説明を省略したが、例えば全ての末尾（３行目のテキストの末尾）がカーソル指定された状態（Ｄ８２）から、右（または下）カーソル操作がされたときには、範囲外である旨のエラー（警告）報知および点滅表示を行い（Ｄ８７）、所定時間（例えば０．７５秒）後に、元の状態に戻る（Ｄ８２）。他の状態からの範囲外（例えばＤ８４から左または上、Ｄ８３から上、Ｄ８６から下）への移動を指示するカーソル操作に対しても、同様に、エラー報知等（Ｄ８７）を行い、所定時間後に、元の状態に戻る。
【０１１６】
そして、図２０で上述のファイル「０３」のファイル作成を終了して、「自由幅印刷」の機能選択画面（Ｄ８１）に戻った場合、この時点で登録されたテキスト内容は、１行目「千代田小学校」、２行目「  ２年２組」、３行目「    山本純一郎」であり、また、各種の指定（設定）は、全体ラベル幅ＬＷ＝５４ｍｍ、１行目の行毎印刷幅ＰＷ１＝１５ｍｍ、２行目の行毎印刷幅ＰＷ２＝１０ｍｍ、３行目の行毎印刷幅ＰＷ３＝２０ｍｍ、となっていて、このため、全体印刷幅ＰＷ＝１５＋１０＋２０＝４５ｍｍとなっている。また、これらの各種設定情報は、図１６で前述の基準位置選択画面（Ｄ６０）において選択された基準位置の情報と共に、ファイル読出時に復元可能なように圧縮等がされた状態で、ファイルの付随情報として登録される。
【０１１７】
ここで、基準位置選択（図１６のＤ６０）で「前端合わせ」が選択操作されていた場合、後述の「ファイル印刷」によりファイル「０３」の印刷が指示されると、図２２（ａ）に示すように、各行の行毎印刷幅ＰＷ１＝１５ｍｍ、ＰＷ２＝１０ｍｍおよびＰＷ３＝２０ｍｍとして、それぞれ「千代田小学校」、「  ２年２組」および「    山本純一郎」を、各行の行毎印刷幅に適した文字サイズ（配置幅）で、各行毎印刷幅の中央に配置し、且つ「前端合わせ」なので全体印刷幅ＰＷ＝４５ｍｍの前端を全体ラベル幅ＬＷ＝５４ｍｍの前端に合わせるように、且つ後端側余白ＰＭｅ＝１８ｍｍを有するように、印刷画像Ｇ５１を作成して、例えばテープ幅ＴＷ＝３６ｍｍのテープＴに印刷し、ハーフカットｈｃおよび後端のフルカットｆｃにより、そのまま、（横）長さ３６ｍｍ×（縦）幅５４ｍｍのラベルＬ５１を作成する。なお、基準位置が前端の場合、各行の文字列画像の基準位置も前端（図示上側：文字列の上端のライン）として、各行の文字列画像の前端を行毎印刷幅の前端に合うように配置する仕様とすることもできる。
【０１１８】
また、基準位置として「中央合わせ」が選択操作され、その後同様にしてファイル作成を終了して、印刷が指示されると、図２２（ｂ）に示すように、上述同様に、各行の行毎印刷幅ＰＷ１＝１５ｍｍ、ＰＷ２＝１０ｍｍおよびＰＷ３＝２０ｍｍに適した配置幅で、各行の文字列画像を各行毎印刷幅ＰＷ１〜ＰＷ３の中央に配置し、且つ「中央合わせ」なので全体印刷幅ＰＷ＝４５ｍｍの中央を全体ラベル幅ＬＷ＝５４ｍｍの中央に合わせるように、且つ前端側余白ＰＭｓ＝４．５ｍｍおよび後端側余白ＰＭｅ＝４．５ｍｍを有するように、印刷画像Ｇ５２を作成して、同様に印刷、カットを行うことにより、（横）長さ３６ｍｍ×（縦）幅５４ｍｍのラベルＬ５２を作成する。
【０１１９】
また、同様に「後端合わせ」が選択操作され、ファイル作成を終了して、印刷が指示されると、図２２（ｃ）に示すように、上述同様に、各行の行毎印刷幅ＰＷ１〜ＰＷ３に適した配置幅で、各行の文字列画像を各行毎印刷幅ＰＷ１〜ＰＷ３の中央に配置し、且つ「後端合わせ」なので全体印刷幅ＰＷ＝４５ｍｍの後端を全体ラベル幅ＬＷ＝５４ｍｍの後端に合わせ、且つ前端側余白ＰＭｓ＝１８ｍｍを有するように、印刷画像Ｇ５３を作成して、同様に印刷、カットを行うことにより、（横）長さ３６ｍｍ×（縦）幅５４ｍｍのラベルＬ５３を作成する。なお、基準位置が後端の場合、各行の文字列画像の基準位置も後端（図示下側：文字列の下端のライン）として、各行の文字列画像の後端を行毎印刷幅の後端に合うように配置する仕様とすることもできる。
【０１２０】
なお、上述の「行毎印刷幅指定」の場合も、合計の全体印刷幅ＰＷが全体ラベル幅ＬＷより大きくなるように、各行毎印刷幅をＰＷ１〜ＰＷ３等を指定することができる。例えば図８で前述の全体ラベル幅の入力画面（Ｄ３０）で「３６」（３６ｍｍ）を指定し、図１６以降で上述と同様に、各行の行毎印刷幅ＰＷ１＝１５ｍｍ、ＰＷ２＝１０ｍｍおよびＰＷ３＝２０ｍｍを指定すれば、全体印刷幅ＰＷ＝４５ｍｍとなるので、ＬＷ＜ＰＷの関係となり、同様に、基準位置選択画面（図１６のＤ６０）で基準位置が選択操作され、ファイル作成を終了して、印刷が指示されると、図２３に示すように、各行の文字列画像を対応する各行毎印刷幅ＰＷ１〜ＰＷ３に適した配置幅で中央に配置し、基準位置に拘わらずに全体印刷幅ＰＷ＝４５ｍｍの印刷画像Ｇ６１（同図内の印刷画像Ｇ６２、Ｇ６３も同じ）を作成し、その前端をハーフカットｈｃの位置に合わせるように印刷する。
【０１２１】
ただし、上述の基準位置選択が「前端合わせ」の場合、図２３（ａ）に示すように、全体ラベル幅ＬＷの前端が印刷画像Ｇ６１の前端と一致するように、全体ラベル幅ＬＷ＝３６ｍｍのラベルＬ６１ａをハーフカットｈｃにより作成し、合計のラベル幅が全体印刷幅ＰＷ＝４５ｍｍと合うように、後余りラベル幅ＬＭｅ＝９ｍｍのラベルＬ６１ｂを、ハーフカットｈｃおよびフルカットｆｃにより作成する。また、「中央合わせ」の場合、同図（ｂ）に示すように、全体ラベル幅ＬＷの中央が全体印刷幅ＰＷの中央と一致するように、前余りラベル幅ＬＭｓ＝４．５ｍｍのラベルＬ６２ａをハーフカットｈｃにより作成し、連なるように全体ラベル幅ＬＷ＝３６ｍｍのラベルＬ６２ｂをハーフカットｈｃにより作成し、さらに後余りラベル幅ＬＭｅ＝４．５ｍｍのラベルＬ６２ｃをフルカットｆｃにより作成する。また、「後端合わせ」の場合、同図（ｃ）に示すように、全体ラベル幅ＬＷの後端が全体印刷幅ＰＷの後端と一致するように、前余りラベル幅ＬＭｓ＝９ｍｍのラベルＬ６３ａをハーフカットｈｃにより作成した後、連なるように全体ラベル幅ＬＷ＝３６ｍｍのラベルＬ６３ｂをフルカットｆｃにより作成する。
【０１２２】
上述のように、テープ印刷装置１では、前述した「印刷幅自動」や「全体印刷幅指定」の他、行毎印刷幅（各行を配置する幅）を個別に指定できる「行毎印刷幅指定」が選択できるので、ラベル幅と印刷幅とのさらに柔軟且つ多彩な組合せが可能になるとともに、所望（任意）の印刷幅（設定幅）を正確に設定でき、また微妙な調整が可能なので、特に後述の分割ラベルを指定する場合等では、各分割ラベルの幅に合わせて調整でき、有利となる。また、ファイル登録時には、各行毎印刷幅も付随情報として登録するので、登録されたファイルを読み出すだけで、再設定等を要することなく、所望の印刷画像の作成〜ラベル作成を簡易且つ迅速に行うことができる。なお、その他の利点等については、前述の「印刷幅自動」や「全体印刷幅指定」の場合と同様なので、説明は省略する。
【０１２３】
ところで、上述の各例は、登録された各ファイルに基いて作成され印刷される印刷画像と作成対象のラベルとの関係の選択画面、すなわち結果的には主要なラベルの枚数を指定する選択画面（Ｄ２２：図７、図８、図２４で共通：以下「ラベル数選択画面」）、において、印刷画像の全体が印刷された基本的には１枚のラベルを作成するための「全体ラベル幅指定」を選択した例である。しかしながら、テープ印刷装置１では、前述のように、複数枚の各ラベル（各分割ラベル）の各ラベル幅を指定することにより、所望の印刷画像をそれぞれに分割して印刷した複数枚の各ラベルを作成するための「分割ラベル幅指定」も選択できる。そこで、以下では、「分割ラベル幅指定」を選択した例を挙げて、これを第４実施形態として説明する。
【０１２４】
本実施形態のテープ印刷装置１では、図７等で前述のラベル数選択画面（上述のＤ２２）において、図２４に示すように、「分割ラベル幅指定」が選択操作されたものとすると、次に、下位階層の画面として、「分割ラベル数」の入力を促す入力画面を表示する（Ｄ９０）。ここでは、画面遷移直後には、分割ラベル数「００」をデフォルト表示するので、この状態から（Ｄ９０）、ユーザは、数字キーの操作により例えば「２」を入力してから選択キーを押すことにより、分割ラベル数＝２（枚）を指定できる。なお、ここで、数値「０」が入力されて（または何も入力されないで）選択キーが押されると（確定されると）、エラー報知（〜所定時間）後、同一画面に戻り（Ｄ９０）、数値「１」が入力され確定されると、「全体ラベル幅指定」と判別して、図８で前述の「全体ラベル幅」の入力画面（Ｄ３０）に移行する。
【０１２５】
分割ラベル数として複数（ここでは２枚）が指定（入力）されると、次に、さらに下位階層の画面として、各分割ラベルのラベル幅（分割ラベル幅）の設定画面を表示する（Ｄ９１）。
【０１２６】
この設定画面（Ｄ９１）では、分割ラベル数「０２」（２枚）を明示するとともに、画面遷移直後には、まず、１枚目の分割ラベル幅の入力を促すように、その入力位置がカーソル指定されるので（Ｄ９１）、ユーザは、数字キーの操作により例えば数字「２５」（２５ｍｍ）を入力することにより、１枚目の分割ラベル幅＝２．５ｃｍ（２５ｍｍ）を指定できる。その後、選択キー押下により確定されると、次に、２枚目の分割ラベル幅の入力を促すように、その入力位置がカーソル指定されるので（Ｄ９２）、同様に、数字「２０」を入力して、２枚目の分割ラベル幅＝２．０ｃｍ（２０ｍｍ）を指定できる（Ｄ９３：図２４と図２５で共通）。
【０１２７】
図２５に示すように、この状態から（Ｄ９３）、シフトキー＋選択キーで確定されると、次に、さらに下位階層の選択画面を表示する（Ｄ９４）。この選択画面（Ｄ９４）は、画面上側のタイトル部に０２．５＋０２．０＝０４．５ｃｍのように分割ラベル幅の合計として（全体）ラベル幅４．５ｃｍが表示される以外は、図８で前述の印刷幅指定方法の選択画面（Ｄ３１）と同様の画面であり、ここでの選択肢には、前述同様の「印刷幅自動」「全体印刷幅指定」「行毎印刷幅指定」などが含まれる（Ｄ９４〜Ｄ９６）。
【０１２８】
ここでは、図２６に示すように、上述の選択画面（Ｄ９４：図２５と図２６で共通）から、「印刷幅自動」が選択操作されたものとすると、次に、さらに下位階層の画面として、テキストデータの入力画面を表示する（Ｄ１００）。この入力画面（Ｄ１００）は、上側のタイトル部（ラベル幅の表示）が異なるだけで、その他は図９で前述の入力画面（Ｄ４０）と同様の画面なので、この後（図９のＤ４０〜Ｄ４２と同様に）、１行目「千代田小学校」、２行目「  ２年２組」、３行目「    山本純一郎」と入力・編集して（Ｄ１０１）、さらに下位階層の設定画面（Ｄ１０２）で、各行の抽象サイズを例えば同様に各行が「中」「小」「大」となるように指定後、ファイル「０３」のファイル作成を終了して、「自由幅印刷」の機能選択画面に戻る（Ｄ１０２：図９のＤ４３、図７のＤ２０と同じ）。
【０１２９】
なお、この場合のファイル登録の際の付随情報には、上述の分割ラベル数や各分割ラベル幅が含まれる。このため、この後、後述の「ファイル印刷」によりテープ幅ＴＷ＝３６ｍｍのテープＴにファイル「０３」の印刷を行うと、図２７（ａ）に示すように、印刷画像Ｇ７１（図２３のＧ６１と同じ）が全体印刷幅ＰＷ＝４５ｍｍで印刷され、前端のハーフカットｈｃから後端のフルカットｆｃまでの全体ラベル幅ＬＷ＝４５ｍｍの範囲を、分割ラベル数の２枚で分割したうちの、１枚目の分割ラベル幅ＬＷ１＝２５ｍｍの分割ラベルＬ７１ａをハーフカットｈｃにより作成し、続いて連なるように２枚目の分割ラベル幅ＬＷ２＝２０ｍｍの分割ラベルＬ７１ｂをフルカットｆｃにより作成する。
【０１３０】
なお、正確には少々ずれるが、図２７（ａ）〜（ｃ）に図示の２行目の行毎印刷幅ＰＷ２＝１０ｍｍを「小」の抽象サイズに対応する実サイズ（絶対サイズ）とすると、１行目の行毎印刷幅ＰＷ１＝１５ｍｍ（正確には１４ｍｍ強）は、「小」の約√２倍のため、概ね「中」の抽象サイズに対応する実サイズ、３行目の行毎印刷幅ＰＷ３＝２０ｍｍは、「小」の約２倍のため、「大」の抽象サイズに対応する実サイズ、となっている。このため、図２５で上述の印刷幅指定方法の選択画面において、「行毎印刷幅指定」が選択操作され（図２５のＤ９６）、１行目〜３行目についてそれぞれ行毎印刷幅ＰＷ１＝１５ｍｍ、ＰＷ２＝１０、ＰＷ３＝２０ｍｍを指定して登録した場合、印刷が指示されると、概ね同様に、図２７（ａ）の印刷結果およびラベル作成結果が得られる。また、「全体印刷幅指定」が選択操作され（図２５のＤ９５）、全体印刷幅ＰＷ＝４５ｍｍを指定して登録した場合も、同様の結果が得られる。
【０１３１】
そこで、以下、図２７（（ａ）〜（ｃ）全て）の結果に至るまでの説明については、「行毎印刷幅指定」や「全体印刷幅指定」が選択された場合の一例についての説明を兼用するものとする。
【０１３２】
次に、分割ラベル数が上述（２枚）とは異なる例について説明を補足する。例えば図２８に示すように、前述した「分割ラベル数」の入力画面（Ｄ９０：図２４と共通）から、例えば「３」を入力して確定（選択キーを押下）することにより、分割ラベル数として「３」（３枚）が指定され、さらに下位階層の分割ラベル幅の設定画面（Ｄ１１０）で、１枚目の分割ラベル幅として数字「１５」の入力により、１枚目の分割ラベル幅＝１．５ｃｍ（１５ｍｍ）を指定して確定（選択キーを押下）され、２枚目の分割ラベル幅として数字「１０」の入力により、２枚目の分割ラベル幅＝１．０ｃｍ（１０ｍｍ）が指定され（Ｄ１１１）、確定（選択キーを押下）されると、同様に、３枚目の分割ラベル幅の入力を促すように、その入力位置がカーソル指定されるので（Ｄ１１２）、同様に、数字「２０」を入力して、３枚目の分割ラベル幅＝２．０ｃｍ（２０ｍｍ）を指定できる（Ｄ１１３）。
【０１３３】
以下、この状態から（Ｄ１１３）、図２５で前述の選択画面（Ｄ９４〜Ｄ９６）と同様の印刷幅指定方法の選択画面で、「印刷幅自動」「全体印刷幅指定」「行毎印刷幅指定」のいずれかが選択操作され、図２６で前述の処理（図２６のＤ１００〜Ｄ１０２参照）と同様にテキスト入力〜配置幅（抽象サイズや印刷幅）指定が行われた後（「行毎印刷幅指定」では図１６〜図２０等参照）、ファイル「０３」のファイル作成を終了して、「自由幅印刷」の機能選択画面に戻る（図２６のＤ１０２、図９のＤ４３、図７のＤ２０等参照）。
【０１３４】
この場合、後述の「ファイル印刷」によりテープ幅ＴＷ＝３６ｍｍのテープＴにファイル「０３」の印刷を行うと、図２７（ｂ）に示すように、印刷画像Ｇ７２（同図（ａ）のＧ７１と同じ）が全体印刷幅ＰＷ＝４５ｍｍで印刷され、前端のハーフカットｈｃから後端のフルカットｆｃまでの全体ラベル幅ＬＷ＝４５ｍｍの範囲を、分割ラベル数の３枚で分割したうちの、分割ラベル幅ＬＷ１＝１５ｍｍの１枚目の分割ラベルＬ７２ａをハーフカットｈｃにより作成し、続いて連なる分割ラベル幅ＬＷ２＝１０ｍｍの２枚目の分割ラベルＬ７２ｂをハーフカットｈｃにより作成し、続いて連なる分割ラベル幅ＬＷ３＝２０ｍｍの３枚目の分割ラベルＬ７２ｃをフルカットｆｃにより作成する。この場合、各分割ラベル幅と各行毎印刷幅が一致するので、ちょうど各行毎に分割したような３枚の分割ラベルＬ７２ａ〜Ｌ７２ｃを作成できる。
【０１３５】
同様に、例えば図２９に示すように、「分割ラベル数」の入力画面（Ｄ９０：図２４と共通）から、例えば「４」の入力・確定により、分割ラベル数「４」（４枚）が指定され、分割ラベル幅の設定画面（Ｄ１１４）で、数字「１５」入力により１枚目の分割ラベル幅＝１．５ｃｍ（１５ｍｍ）が指定・確定され、数字「１０」の入力により２枚目の分割ラベル幅＝１．０ｃｍ（１０ｍｍ）が指定・確定され、数字「１０」の入力により３枚目の分割ラベル幅＝１．０ｃｍ（１０ｍｍ）が指定され（Ｄ１１５）、確定（選択キーを押下）されると、同様に、４枚目の分割ラベル幅の入力を促すように、その入力位置がカーソル指定されるので（Ｄ１１６）、同様に、数字「１０」を入力して、４枚目の分割ラベル幅＝１．０ｃｍ（１０ｍｍ）を指定できる（Ｄ１１７）。
【０１３６】
以下、この状態から（Ｄ１１７）、前述と同様にして印刷幅指定方法の選択肢のいずれかが選択操作され、同様にテキスト入力〜配置幅の指定が行われた後、ファイル「０３」のファイル作成を終了して、「自由幅印刷」の機能選択画面に戻る（図２６のＤ１０２、図９のＤ４３、図７のＤ２０等参照）。
【０１３７】
この場合、同様にファイル「０３」の印刷を行うと、図２７（ｃ）に示すように、印刷画像Ｇ７３（同図（ａ）のＧ７１と同じ）が全体印刷幅ＰＷ＝４５ｍｍで印刷され、全体ラベル幅ＬＷ＝４５ｍｍの範囲を４枚で分割したうちの、分割ラベル幅ＬＷ１＝１５ｍｍの１枚目の分割ラベルＬ７３ａ、分割ラベル幅ＬＷ２＝１０ｍｍの２枚目の分割ラベルＬ７３ｂ、分割ラベル幅ＬＷ３＝１０ｍｍの３枚目の分割ラベルＬ７３ｃ、のそれぞれをハーフカットｈｃにより作成し、続いて連なる分割ラベル幅ＬＷ４＝１０ｍｍの４枚目の分割ラベルＬ７３ｄをフルカットｆｃにより作成する。
【０１３８】
なお、上述の例は、全体ラベル幅ＬＷ＝全体印刷幅ＰＷ（＝４５ｍｍ）の例であるが、「分割ラベル幅指定」の場合においても、「全体印刷幅指定」や「行毎印刷幅指定」を選択操作（図２５のＤ９５、Ｄ９６）することによって、全体ラベル幅ＬＷ≠全体印刷幅ＰＷ（すなわちＬＷ＞ＰＷまたはＬＷ＜ＰＷ）を設定できる。
【０１３９】
例えば図３０に示すように、分割ラベル数「０３」（３枚）で分割ラベル幅入力後（Ｄ１１３：図２８と共通）、シフトキー＋選択キーで確定され、「全体印刷幅指定」が選択操作されると（Ｄ１２０）、図１２で前述の例と同様に、下位階層の画面として、「全体印刷幅」の入力画面を表示するので（Ｄ１２１）、数字「３６」（３６ｍｍ）の入力・確定（選択キー押下）により、全体印刷幅＝３．６ｃｍ（３６ｍｍ）を指定でき、さらに下位階層の基準位置選択画面において、デフォルトの「前端合わせ」が選択操作されたものとすると（Ｄ１２２）、次に、さらに下位階層のテキストデータの入力画面を表示する（Ｄ１２２）。この入力画面は、画面上側のタイトル部（ラベル幅に関する記載）以外は図９で前述の入力画面（Ｄ４０）と同様の画面なので、この後、図９のＤ４０〜Ｄ４２と同様に、１行目〜３行目を入力・編集して、さらに下位階層の設定画面で各行の抽象サイズを指定後、ファイル「０３」のファイル作成を終了して、「自由幅印刷」の機能選択画面に戻る（図９のＤ４３、図７のＤ２０参照）。
【０１４０】
この場合、ファイル「０３」の印刷が指示されると、図３１（ａ）に示すように、「前端合わせ」なので全体印刷幅ＰＷ＝３６ｍｍの前端を全体ラベル幅ＬＷ＝４５ｍｍの前端に合わせるように、且つ後端側余白ＰＭｅ＝９ｍｍを有するように、印刷画像Ｇ８１を作成して、例えばテープ幅ＴＷ＝３６ｍｍのテープＴに印刷し、図２７（ｂ）で前述と同様に、前端のハーフカットｈｃから後端のフルカットｆｃまでの全体ラベル幅ＬＷ＝４５ｍｍの範囲を、分割ラベル数の３枚で分割したうちの、それぞれ分割ラベル幅ＬＷ１＝１５ｍｍ、ＬＷ２＝１０ｍｍ、ＬＷ３＝２０ｍｍの分割ラベルＬ８１ａ〜Ｌ８１ｃを、ハーフカットｈｃおよびフルカットｆｃにより作成する。
【０１４１】
また、基準位置選択で「中央合わせ」が選択操作された場合、同様にしてファイル作成を終了して、ファイル「０３」の印刷が指示されると、図３１（ｂ）に示すように、全体印刷幅ＰＷ＝３６ｍｍの中央を全体ラベル幅ＬＷ＝４５ｍｍの中央に合わせるように、且つ前端側余白ＰＭｓ＝４．５ｍｍおよび後端側余白ＰＭｅ＝４．５ｍｍを有するように、印刷画像Ｇ８２を作成して、同様に印刷、カットを行うことにより、それぞれ分割ラベル幅ＬＷ１＝１５ｍｍ、ＬＷ２＝１０ｍｍ、ＬＷ３＝２０ｍｍの分割ラベルＬ８２ａ〜Ｌ８２ｃを作成する。
【０１４２】
また、同様に「後端合わせ」が選択操作され、ファイル作成後、印刷が指示されると、図３１（ｃ）に示すように、全体印刷幅ＰＷ＝３６ｍｍの後端を全体ラベル幅ＬＷ＝５４ｍｍの後端に合わせるように、且つ前端側余白ＰＭｓ＝１８ｍｍを有するように、印刷画像Ｇ８３を作成して、同様に印刷、カットを行うことにより、それぞれ分割ラベル幅ＬＷ１＝１５ｍｍ、ＬＷ２＝１０ｍｍ、ＬＷ３＝２０ｍｍの分割ラベルＬ８２ａ〜Ｌ８２ｃを作成する。
【０１４３】
なお、例えば図３０の印刷幅指定方法の選択画面で（Ｄ１２０）、「全体印刷幅指定」の代わりに「行毎印刷幅指定」が選択操作され、その後、図１６〜図２０等で前述の例と同様に、テキスト入力〜行毎印刷幅指定が行われ、ファイル作成後、印刷が指示された場合も、１〜３行目についてそれぞれ例えば行毎印刷幅ＰＷ１＝１２ｍｍ、ＰＷ２＝８ｍｍ、ＰＷ３＝１６ｍｍ（各行相互間の比が図２７のＰＷ＝４５ｍｍのときの１５、１０、２０の比と同じ）の指定であれば、図３１で上述の結果が得られる。
【０１４４】
また、上述の例は、全体ラベル幅ＬＷ＞全体印刷幅ＰＷの関係の例であるが、「全体印刷幅指定」や「行毎印刷幅指定」を選択操作（図２５のＤ９５、Ｄ９６）することによって、上述とは逆に、全体ラベル幅ＬＷ＞全体印刷幅ＰＷの関係にも設定できる。例えば分割ラベル数や各分割ラベル幅の設定は上述と同じにし（すなわち分割ラベル数「０３」、各分割ラベル幅ＬＷ１＝１５ｍｍ、ＬＷ２＝１０ｍｍ、ＬＷ３＝２０ｍｍ）、「全体印刷幅指定」において全体印刷幅ＰＷ＝５４ｍｍを設定した場合、あるいは「行毎印刷幅指定」において１〜３行目の各行毎印刷幅ＰＷ１＝１８ｍｍ、ＰＷ２＝１２ｍｍ、ＰＷ３＝２４ｍｍを設定した場合、図３２に示すような印刷結果およびラベル作成結果が得られる。
【０１４５】
すなわち、基準位置に拘わらずに全体印刷幅ＰＷ＝５４ｍｍの印刷画像Ｇ９１（図１０で前述の印刷画像Ｇ１０と同じになる：また、図３２内の印刷画像Ｇ９２、Ｇ９３も同じ）を作成し、その前端をハーフカットｈｃの位置に合わせるように印刷する。
【０１４６】
ただし、基準位置選択で「前端合わせ」が選択操作されていた場合、図３２（ａ）に示すように、「前端合わせ」なので全体ラベル幅ＬＷ＝４５ｍｍの前端が印刷画像Ｇ９１の前端と一致するように、全体ラベル幅ＬＷ＝４５ｍｍの範囲を分割ラベル数の３枚で分割したうちの、それぞれ分割ラベル幅ＬＷ１＝１５ｍｍ、ＬＷ２＝１０ｍｍ、ＬＷ３＝２０ｍｍの分割ラベルＬ９１ａ〜Ｌ９１ｃを、ハーフカットｈｃにより作成するとともに、合計のラベル幅が全体印刷幅ＰＷ＝５４ｍｍと合うように、ラベルＬ９１ｃの後端に連なるように後余りラベル幅ＬＭｅ＝９ｍｍのラベルＬ９１ｄを、フルカットｆｃにより作成する。
【０１４７】
また、「中央合わせ」が選択操作されていた場合、図３２（ｂ）に示すように、全体ラベル幅ＬＷ＝４５ｍｍの中央が全体印刷幅ＰＷ＝５４ｍｍの中央と一致するように、最初に前余りラベル幅ＬＭｓ＝４．５ｍｍのラベルＬ９２ａをハーフカットｈｃにより作成し、その後端に連なるように全体ラベル幅ＬＷ＝４５ｍｍの範囲を分割ラベル数の３枚で分割したうちの、それぞれ分割ラベル幅ＬＷ１＝１５ｍｍ、ＬＷ２＝１０ｍｍ、ＬＷ３＝２０ｍｍの分割ラベルＬ９２ｂ〜Ｌ９２ｄを、ハーフカットｈｃにより作成し、するとともに、その後端に連なるように後余りラベル幅ＬＭｅ＝４．５ｍｍのラベルＬ９２ｅをフルカットｆｃにより作成する。
【０１４８】
また同様に「後端合わせ」が選択操作されていた場合、図３２（ｃ）に示すように、全体ラベル幅ＬＷ＝３６ｍｍの後端が全体印刷幅ＰＷ＝５４ｍｍの後端と一致するように、最初に前余りラベル幅ＬＭｓ＝９ｍｍのラベルＬ９３ａをハーフカットｈｃにより作成した後、その後端に連なるように全体ラベル幅ＬＷ＝４５ｍｍの範囲を分割ラベル数の３枚で分割したうちの、それぞれ分割ラベル幅ＬＷ１＝１５ｍｍ、ＬＷ２＝１０ｍｍ、ＬＷ３＝２０ｍｍの分割ラベルＬ９２ｂ〜Ｌ９２ｄを、ハーフカットｈｃおよびフルカットｆｃにより作成する。
【０１４９】
上述のように、テープ印刷装置１では、印刷画像に対応するラベルを一連の複数の分割ラベルで実現でき、この場合、その分割ラベル数を指定し、各分割ラベルの各ラベル幅を設定して、各ラベル幅に合わせてカットすることにより、ラベルとして複数の分割ラベルを作成できるので、ラベル幅と印刷幅とをさらに柔軟且つ多彩に組み合わせて設定でき、さらに多彩な各種ラベルを作成できる。また、ファイル登録時には、分割ラベル数や各分割ラベル幅も付随情報として登録するので、印刷画像を印刷したラベルを複数枚のラベルに分割して作成する場合であっても、登録されたファイルを読み出すだけで、再設定等を要することなく、所望の印刷画像の作成〜ラベル作成を簡易且つ迅速に行うことができる。なお、その他の利点等については、前述の「全体ラベル幅指定」の場合と同様なので、説明は省略する。
【０１５０】
ところで、以上に述べたように、「自由幅印刷」の各種機能（図７のＤ２０等参照）のうち、「ファイル作成」の機能により各種の形態で作成したファイル（例えばファイル「０３」）は、ＲＡＭ２４０内の所定の領域に登録するが、各ファイルのファイル登録時には、全体ラベル幅ＬＷを含むあるいは全体ラベル幅ＬＷを導出可能な各種のラベル幅（分割ラベル幅ＬＷ１等）や、全体印刷幅ＰＷを含むあるいは全体印刷幅ＰＷを導出可能な各種の印刷幅（行毎印刷幅ＰＷ１等）など、印刷画像の作成から印刷およびラベル作成に関する各種の情報を、各ファイルの付随情報として登録する。このため、例えば個別設定（特に印刷幅やラベル幅など幅方向印刷に関する指定・設定）が異なるファイルの作成などの他の作業をした直後であっても、登録されたファイルを読み出すだけで、幅方向印刷に関する再設定を要することなく、所望の個別設定に基づくラベル作成を簡易且つ迅速に行うことができる。
【０１５１】
そこで、次に、登録された各ファイルの各種利用の方法について、以下に説明する。まず、最初に「ファイル印刷」の機能について説明する。
【０１５２】
例えば図３３に示すように、「自由幅印刷」の機能選択画面において上述の「ファイル作成」を選択表示された状態から（Ｄ２０：図７と共通）、カーソル操作により「ファイル印刷」が選択表示され（Ｄ１３０）、確定（選択キー押下）されると（選択操作されると）、次に、その下位階層の画面として、ファイル印刷の対象ファイルを選択（指定）するための選択画面（印刷ファイル選択画面）を表示する（Ｄ１３１）。
【０１５３】
この選択画面（Ｄ１３１）では、自由幅印刷におけるファイル印刷である旨を画面上部のタイトル部に明示するとともに、登録されたファイルのファイル番号が小さい方から順に、それぞれ各行に「ファイル番号：所要サイズ［テキストデータの先頭部分」のフォーマットで表示する。ただし、所要サイズ＝全体ラベル幅ＬＷおよび全体印刷幅ＰＷのうちの大きい方のサイズ（テープＴとしてその長手方向に必要なサイズ）とする。ここでは、例えば図９および図１０で説明した例のようにファイル「０３」を作成して登録したものとすると、ファイル「０３」については、図示のように、「０３：05.4［千代田小学校」のように表示される（Ｄ１３１〜Ｄ１３２：図９〜図１０参照）。また、カーソル位置は、ファイル番号のネガ表示で示される。
【０１５４】
ここで、例えば上記のファイル「０３」が選択操作されると、次に、さらに下位階層の画面として、印刷枚数の入力を促す入力画面を表示する（Ｄ１３３：図３３と図３４で共通）。ここでは、画面遷移直後には、印刷枚数「００」をデフォルト表示するので、図３４に示すように、この状態から（Ｄ１３３）、ユーザは、数字キーの操作により例えば「１」を入力してから確定（選択キー押下）することにより、印刷枚数＝１（枚）を指定できる。なお、ここで、数値「０」が入力されて（または何も入力されないで）選択キーが押されると（確定されると）、エラー報知（〜所定時間）後、同一画面に戻る（Ｄ１３３）。ここでは「１」を入力・確定したものとすると、次に、さらに下位階層の画面として、確認画面を表示する（Ｄ１３５）。
【０１５５】
この確認画面（Ｄ１３３）では、上述同様のタイトル部の他、印刷対象として選択したファイルのファイル番号（ここではファイル「０３」）、所要サイズ（ここでは「05.4cm」）、テキスト内容（ここでは１行目「千代田小学校」、２行目「  ２年２組」、３行目「    山本純一郎」）、および、印刷枚数（ここでは「０１枚」）を表示する。
【０１５６】
ここで、ユーザにより確認後に確定（選択キー押下）されると、図６で前述の長手方向印刷の場合と同様に、ただしタイトル部、ファイル番号および所要サイズとともに、「印刷中」のメッセージを表示し（Ｄ１１）、そのファイル（ここではファイル「０３」）に基づいて対応する印刷画像（ここでは図１０で前述の印刷画像Ｇ１０）を作成して印刷し、登録されていた付随情報が示す設定（ここでは全体ラベル幅ＬＷ＝全体印刷幅ＰＷ＝５４ｍｍ）に応じたカット（前端をハーフカットｈｃおよび後端をフルカットｆｃ）により、ラベルＬ１０を作成し（図１０参照）、印刷が終了すると、元のテキスト編集画面に戻る（Ｄ１３７：図６のＤ１０と同じ）。
【０１５７】
上述のように、テープ印刷装置１では、長手方向印刷と幅方向印刷が選択的に可能であるが、「自由幅印刷」（幅方向印刷）のための印刷画像を作成するためのテキストデータ（データ）や付随情報を、対応するファイル（ここではファイル「０３」）として登録しておき、「ファイル印刷」（幅方向印刷）が選択されたときに、登録されたファイルのうちの印刷対象のファイル（ファイル「０３」）を指定し、そのファイル「０３」に基づいて対応する印刷画像（ここでは印刷画像Ｇ１０）を作成して印刷する。この場合、長手方向印刷のためのファイルの流用でなく幅方向印刷のためのファイルを用意するので、幅方向印刷に適した内容（情報）の登録ができる。
【０１５８】
また、印刷画像Ｇ１０に対応するラベル幅（ここでは全体ラベル幅ＬＷ＝５４ｍｍ）は、その印刷画像Ｇ１０に対応するファイル「０３」の登録前に設定され、付随情報にラベル幅（全体ラベル幅ＬＷ＝５４ｍｍ）の情報を含んで登録され、この情報に基づいてカット処理が行われる。
【０１５９】
したがって、機能選択画面（例えば図７または図３３のＤ２０）に移行する前の状態（例えば図６等のＤ１０）が、ラベル幅の設定が異なるファイルの作成などの他の作業をした直後であっても、登録されたファイル（ファイル「０３」）を読み出すだけで、幅方向印刷（ここでは少なくともラベル幅）に関する再設定を要することなく、所望の個別設定に基づくラベル作成（ラベルＬ１０の作成）を簡易且つ迅速に行うことができる。
【０１６０】
なお、上述のように、「全体ラベル幅指定」且つ「全体ラベル幅ＬＷ＝全体印刷幅ＰＷ＝５４ｍｍ」の場合（図１０参照）ばかりでなく、その他の設定の場合（図１３〜図１５、図２２〜図２３、図２７、図３１〜図３２参照）であっても、各ファイルのファイル登録時には、付随情報として、全体ラベル幅ＬＷを含むあるいは全体ラベル幅ＬＷを導出可能な各種のラベル幅の情報（分割ラベル数や分割ラベル幅ＬＷ１等の情報）や、全体印刷幅ＰＷを含むあるいは全体印刷幅ＰＷを導出可能な各種の印刷幅の情報（文字列行数や行毎印刷幅ＰＷ１等の情報）や、「全体ラベル幅ＬＷ≠全体印刷幅ＰＷ」の場合（図１３〜図１５、図２２〜図２３、図３１〜図３２参照）の基準位置（前端、中央、後端）の情報など、印刷画像の作成〜印刷およびラベル作成に関する各種の情報を、各ファイルの付随情報として登録する。
【０１６１】
このため、テープ印刷装置１では、例えば個別設定（特に印刷幅やラベル幅など幅方向印刷に関する指定・設定）が異なるファイルの作成などの他の作業をした直後であっても、登録されたファイルを読み出すだけで、幅方向印刷に関する再設定を要することなく、所望の個別設定に基づくラベル作成を簡易且つ迅速に行うことができる。
【０１６２】
なお、図３４で上述の例では、ファイル「０３」のラベルを１枚のラベルとして作成されたが、複数のラベルとして作成される場合（図１４、図１５（ｂ）、図２３、図２７、図３１、図３２参照）、「印刷中」のメッセージは、「印刷中−ｘ／ｙ」のフォーマット（図４１参照：ここで、ｙは作成するラベル数、ｘはそのうちの何枚目のラベルになる部分を印刷中かを示す）で表示される。もちろ、１枚の場合も同様の「印刷中−１／１」のように表示するようにしても良い。
【０１６３】
また、上述の例では、所望のラベル（上述ではファイル「０３」に対応するラベル）を１枚（１回：１部）のみ作成したが、同一ラベルを連続（一括）して複数枚（複数部数）作成することもできる。
【０１６４】
例えば図３５に示すように、印刷ファイル選択画面から（Ｄ１３１：図３３と共通）、例えば所要サイズ「00.5cm」（５ｍｍ）のファイル「１９」が選択操作されると（Ｄ１４０）、下位階層の印刷枚数の入力画面を表示するので（Ｄ１４１：図３３等のＤ１３３と同じ）、例えば数字「１０」を入力され（Ｄ１４２）、確定（選択キー押下）されると、印刷枚数＝１０枚を設定し、次に、さらに下位階層の画面として、確認画面を表示する（Ｄ１４３：図３５と図３６で共通）。この確認画面（Ｄ１４３）では、「自由幅  ファイル印刷」のタイトル部の他、印刷対象のファイル「１９」、所要サイズ「00.5cm」、テキスト内容「山下０９０−１２３４−５６７８」および印刷枚数「１０枚」を表示する。
【０１６５】
この状態から（Ｄ１４３）、図３６に示すように、ユーザにより確認され確定されると、タイトル部、ファイル番号および所要サイズとともに、「印刷中」のメッセージおよび現在何枚目／全体枚数（ここでは０１／１０枚〜１０／１０枚）の印刷中かを表示し（Ｄ１４４〜Ｄ１４６）、そのファイル「１９」に基づいて、図３７に示すように、対応する印刷画像Ｇ１００を作成して、指定の印刷枚数＝１０枚分だけ印刷画像１００を印刷し、それと並行して、１枚印刷毎に登録されていた付随情報が示す設定（全体ラベル幅ＬＷ＝全体印刷幅ＰＷ＝５ｍｍ）に応じたカット（ただし最終のみフルカットｆｃ、途中はハーフカットｈｃ）により、１０枚のラベルＬ１０１〜Ｌ１１０を作成し、印刷が終了すると、元のテキスト編集画面に戻る（Ｄ１４７：図６のＤ１０と同じ）。
【０１６６】
上述のように、テープ印刷装置１では、印刷対象のファイル（上述ではファイル「１９」）に対応する印刷画像（印刷画像Ｇ１００）の印刷の繰り返し回数（いわゆる印刷枚数や印刷部数）を設定でき、この回数分だけ同一の印刷画像（Ｇ１００）を繰り返して印刷し、印刷画像の印刷毎に、印刷された各印刷画像に対応する各ラベルの相互間を分離するためのカット処理（上述ではハーフカットｈｃ）を行うので、同一のラベルを必要な所望の枚数（部数）だけ、簡易且つ迅速に作成できる。
【０１６７】
ところで、上述の例は、同一ラベルの複数枚（複数部数）連続（一括）作成であるが、内容の異なる複数種類のファイルがファイル番号等で区別されて登録されている場合には、そのうちのいくつか複数種類をまとめて指定して、指定された複数種類のファイルに対応する複数種類のラベルを連続（一括）して作成することもできる。これが「ファイル複数印刷」の機能であり、以下に説明する。
【０１６８】
例えば図３８に示すように、機能選択画面において「ファイル作成」が選択表示された状態から（Ｄ２０：図７、図３３等と共通）、「ファイル複数印刷」が選択表示され（Ｄ１５０）、確定されると、次に、その下位階層の画面として、図３３等で前述の印刷ファイル選択画面（Ｄ１３１）等と同様の選択画面（一括印刷ファイル選択画面）を表示する（Ｄ１５１）。
【０１６９】
ただし、この選択画面（Ｄ１５１）では、「ファイル複数印刷」のタイトル表示とともに、登録されたファイルを前述同様のフォーマットで表示し、前述同様にファイル番号のネガ表示が選択するための表示（選択表示）となるが、この場合の画面遷移直後のカーソル位置（図示の例ではファイル「０１」のファイル番号）は、ネガ表示ではなく、最初に選択キーが押された時点でネガ表示となり、その後は選択キーが押される毎に、正画（ポジ）表示→ネガ表示→ポジ表示→ネガ表示→……のように反転して表示される（Ｄ１５１〜Ｄ１５３：Ｄ１５３は図３９と共通）。すなわち、選択キーの押下の度に選択表示（ネガ表示）とその解除（ポジ表示）が切り替えられる。
【０１７０】
次に、例えば図３９に示すように、上述のファイル「０１」の選択が解除された状態から（Ｄ１５３）、ユーザは、カーソル操作によりファイル「０３」（のファイル番号）をカーソル指定し（Ｄ１５４）、選択キーにより選択した後（Ｄ１５５）、ファイル「０３」については選択表示させたまま、カーソル操作により他のファイル（のファイル番号）をカーソル指定することができる。ここで、ユーザにより例えば次のファイル「１９」がカーソル指定され（Ｄ１５６）、（選択キーにより）選択されると、ファイル「０３」に加えてファイル「１９」が選択表示（ネガ表示）となる（Ｄ１５７：図３９と図４０で共通）。
【０１７１】
次に、例えば図４０に示すように、上述の状態から（Ｄ１５７）、さらに例えば次のファイル「２０」がカーソル指定され（Ｄ１５８）、選択されると、さらにファイル「２０」が選択表示となる（Ｄ１５９）。
【０１７２】
そして、この状態から（Ｄ１５９）、シフトキー＋選択キーで確定させると、３個のファイル「０３」「１９」「２０」を一括して印刷対象の指定（一括印刷）ファイルとして確定（設定）し、次に、さらに下位階層の画面として、確認画面を表示する（Ｄ１６０：図４０と図４１で共通）。この確認画面（Ｄ１６０）では、「自由幅  ファイル複数印刷」のタイトル部の他、印刷対象のファイル「選択ファイル［０３，１９，２０」、所要サイズ「合計07.4cm」を表示する。ここでの所要サイズの「０７．４ｃｍ」（７４ｍｍ）は、選択されたファイル「０３」「１９」「２０」のそれぞれの所要サイズ「０５．４ｃｍ」（５４ｍｍ）、「００．５ｃｍ」（５ｍｍ）、「０１．５ｃｍ」（１５ｍｍ）の合計である。
【０１７３】
次に、例えば図４１に示すように、上述の状態から（Ｄ１６０）、確認され確定されると、タイトル部および選択ファイル番号とともに、「印刷中−ｘ／ｙ」（ｙ：各ファイル対応で作成するラベル数、ｘ：何枚目のラベルか）のメッセージを表示し（Ｄ１６１〜Ｄ１６３）、それと並行して、図４２に示すように、ファイル「０３」「１９」「２０」の付随情報が示すラベル幅や印刷幅に関する設定情報に応じて、それぞれに対応する印刷画像Ｇ１０、Ｇ１００、Ｇ１５０（あるいはこれらを合成した印刷画像Ｇ２００）を作成・印刷してカット処理（ただし最終のみフルカットｆｃ、途中はハーフカットｈｃ）により、所望のラベルＬ２０１〜Ｌ２０３を作成し、印刷が終了すると、元のテキスト編集画面に戻る（Ｄ１６４：図６のＤ１０と同じ）。
【０１７４】
上述のように、テープ印刷装置１では、登録されたファイルが複数種類存在する場合、そのうちの複数のファイル（上述では３個のファイル「０３」「１９」「２０」）を印刷対象のファイルとして一括して指定することができ、一括指定されたときに、対応する複数の印刷画像（上述の印刷画像Ｇ１０、Ｇ１００、Ｇ１５０）を連続して（または合成印刷画像Ｇ２００を）印刷し、印刷された複数の印刷画像のそれぞれに対応する各ラベルの相互間を分離するためのカット処理（上述ではハーフカットｈｃ）を行うので、対応するファイルを一括して指定するだけで、所望の複数種類のラベルを連続（一括）して簡易且つ迅速に作成できる。
【０１７５】
ところで、テープ印刷装置１では、図４等で前述のようにハーフカットｈｃとフルカットｆｃが可能であり、上述の例を含め前述した各例のうち、連続して作成するラベルが複数枚ある場合（図１４、図１５（ｂ）、図２３、図２７、図３１、図３２、図３７、図４２参照）、カット処理として、最後のラベルの後端のみフルカットｆｃを行い、その他の位置（各ラベルの相互間等）ではハーフカットｈｃを行うので、全てのカットまで終了後、作成されたラベルをまとめて一括管理する場合には、フルカットｆｃまでの１枚のテープ片として管理でき、各ラベルの相互間はハーフカットｈｃなので、貼付したいときに貼付したいラベルのみを剥がして貼付でき、管理しやすいラベル（群）となる。
【０１７６】
なお、上述した「自由幅印刷」は幅方向印刷であり、テープ幅ＴＷが広い方が有利な機能なので、仕様上、例えばテープ幅ＴＷ≧３６ｍｍ等に規定したり、あるいはさらに限定して、テープ幅ＴＷ＝３６ｍｍのみ、のように規定しても良い。このような場合、例えば図４３に示すように、機能選択画面において「ファイル印刷」（Ｄ１３０：図３３と共通）あるいは「ファイル複数印刷」（図３８のＤ１５０参照）が選択操作された時点で、所定のテープ幅ＴＷ＝３６ｍｍのテープが装着されていない場合、その旨のエラー（警告）報知および点滅表示を行い（Ｄ１７０）、所定時間（例えば０．７５秒）後に、元の状態に戻る（Ｄ１７１：Ｄ１３０等と同じ）ようにしても良い。
【０１７７】
ところで、図６で前述のテキスト編集画面（Ｄ１０）等は、いわば長手方向印刷（同図（ｂ）参照）のためのテキスト入力〜編集のための画面であり、「自由幅印刷」（幅方向印刷）のためのテキスト入力〜編集のための画面は、別に設けてあり（図９のＤ４０〜Ｄ４１、図１１のＤ４０〜Ｄ４４、図１２のＤ５２、図１６〜図１８のＤ６１〜Ｄ７１、図２０のＤ７５〜Ｄ８０、図２６のＤ１００〜Ｄ１０１、図３０のＤ１２３等参照）、その利用方法（印刷等の方法）も異なるので（図６と図３３等を比較参照）、基本的に、「自由幅印刷」のために作成したファイルのテキストデータは、長手方向印刷のためのテキストデータとは別の形態で登録しておいても良いが、テープ印刷装置１では、この「自由幅印刷」のために登録してあるファイル（のテキストデータ）を長手方向印刷用にも流用できるようにして、利便性を高めている。
【０１７８】
なお、この機能は、上述のようにデータの形態等を変換する機能なので「データ変換」等と呼んでも良いし、記憶（または登録）させる場合のファイルの形態等を変換するので、「ファイル変換」等と呼ぶこともできるが、ここでは、変換後のテキストデータを長手方向印刷用のテキスト編集領域に展開してテキスト編集画面に表示するので「テキスト変換」の名称を用いて、以下に説明する。
【０１７９】
例えば図４４に示すように、機能選択画面において「ファイル作成」が選択表示された状態から（Ｄ２０：図７、図３３、図３８等と共通）、「テキスト変換」が選択表示され（Ｄ１８０）、確定されると、次に、その下位階層の画面として、図３３や図３８等で前述の印刷ファイル選択画面（Ｄ１３１、Ｄ１５１）等と同様の選択画面（変換ファイル選択画面）を表示する（Ｄ１８１）。
【０１８０】
この選択画面（Ｄ１８１）では、「テキスト変換」のタイトル表示とともに、登録されたファイルを前述同様のフォーマットで表示して選択する。例えばここで前述のファイル「０３」を選択表示して（Ｄ１８２）、確定すると、選択されたファイル「０３」のテキストデータ、すなわち図９等で前述の１行目「千代田小学校」、２行目「  ２年２組」、３行目「    山本純一郎」のテキストデータを、長手方向印刷用のテキスト編集領域に展開し、その表示のためのテキスト編集画面に適合する形態で表示する（Ｄ１８３）。
【０１８１】
上述のように、テープ印刷装置１では、「自由幅印刷」（幅方向印刷）のために作成して登録してあるファイル（のテキストデータ）を長手方向印刷用にも流用できて利便性が高く、幅方向印刷ばかりでなく、長手方向印刷においても、印刷画像の作成・編集・印刷およびラベル作成を簡易に行う工夫がなされ、操作性や作業効率が高いものとなっている。
【０１８２】
そして、上述した各種処理方法（ラベル作成方法、ファイル作成・登録・印刷等のファイル処理方法、テキスト変換方法等）は、プログラム処理可能な各種のテープ印刷装置によって処理されるプログラムとして適用でき、その種のプログラムを記憶するための例えばＣＤ、ＭＤ、ＤＶＤ等の記憶媒体にも適用でき、この種のプログラムを記憶しておいて、あるいは記憶媒体等から読み出して、実行することにより、「自由幅印刷」（幅方向印刷）のために登録され印刷対象として選択・指定されたファイルに基づいて、幅方向印刷に適した印刷画像の作成・編集・印刷およびラベル作成を簡易且つ迅速に行うことができ、また、ファイルやその付随情報等によって、幅方向印刷によってラベル作成を行うときのラベル幅と印刷幅との各種の組合せを自在に設定でき、また、登録されたファイルを読み出すだけで、幅方向印刷に関する再設定を要することなく、所望の個別設定に基づくラベル作成を簡易且つ迅速に行うことができ、また、幅方向印刷のために用意して登録されたファイルのデータを長手方向印刷に流用でき、利便性や作業効率を向上できる、などの効果が得られる。もちろん、その他、要旨を逸脱しない範囲で、適宜変更も可能である。
【０１８３】
なお、上述の実施形態（第１〜第４実施形態）では、単体（スタンドアロン）のテープ印刷装置を例示したが、印刷画像の画像データ（印刷画像データ）を用意して供給するための供給装置に所定の通信手段を介して同様のテープ印刷装置）を接続した構成（システム）を、１つのテープ印刷装置と見ることもできる。以下、このタイプのテープ印刷装置（単体のものと区別して以下「印刷システム」という。）を、第５実施形態として説明する。
【０１８４】
図４５および図４６に示すように、まず、本実施形態のテープ印刷装置１（区別する際には第１〜第４実施形態のものを１Ａ、第５実施形態のものを１Ｂとする）は、データサーバ（供給装置）ＤＳとインタフェースＩＦを介して接続され、全体として印刷システムＳＹＳを構成している。データサーバＤＳは、テープ印刷装置１（１Ｂ）に対して、印刷対象の印刷画像データを供給するものである。
【０１８５】
このため、データサーバＤＳは、例えば図４５に示すように、ネットワークＮＷを中心に、端末となる複数のワークステーションＷＳ（パソコンＰＣ等）１〜３やターミナルアダプタ（ルータ、リピータ、ハブ等を含む）ＴＡ等を接続して構成し、これらの端末のいずれかからインタフェースＩＦを介して、あるいはネットワークＮＷから直接のインタフェースＩＦとして、テープ印刷装置１を接続しても良い。この場合のネットワークＮＷとしては、ＩＥＥＥ標準ＬＡＮ準拠の通信プロトコルに従ったもの、例えばいわゆるインターネットや各種のローカルエリアネットワーク（ＬＡＮ：イーサネット（登録商標）、１０／１００ベース（Base）等）が採用できる。また、端末を介するインタフェースＩＦとしては、シリアルデータ通信（ＲＳ−２３２Ｃ、ＵＳＢ、ＩＥＥＥ１３９４等）でも、パラレルデータ通信（セントロニクス等）でも良い。なお、これらは有線通信の規格であるが、無線通信を利用することも可能である。
【０１８６】
あるいは、より単純な構成として、データサーバＤＳを、スタンドアロンタイプの装置としても良い。例えば図４６に示すように、スタンドアロンのパソコンＰＣとテープ印刷装置１（１Ｂ）とを、ＵＳＢ等のインタフェースＩＦで接続するだけで、印刷システムＳＹＳを構成できる。なお、図４５の構成（第１の構成）では、データサーバＤＳ内の各装置（ＷＳ１〜３、ＴＡ等）に用意（記憶）された印刷画像データを（ダウンロード等により）供給して印刷する構成となり、図４６の構成（第２の構成）では、例えばパソコンＰＣ（データサーバＤＳ）に記憶された印刷画像データを供給して印刷する構成となる。
【０１８７】
以下では、比較的単純な図４６の第２の構成の印刷システムＳＹＳについて、主に説明する。ここで、テープ印刷装置１（１Ｂ）は、図４７に示すように、ＵＳＢ仕様（プロトコル）に基づいて（ＵＳＢケーブルによる）インタフェースＩＦからＵＳＢコネクタ２５を介してデータサーバＤＳとの通信を行うデータ供給インタフェース（ＤＳ−ＩＦ）１６を、第１実施形態のテープ印刷装置１（１Ａ）と同様の構成（図３参照）に、付加した構成と成っている。
【０１８８】
ＤＳ−ＩＦ１６は、データサーバＤＳからの各種データ（印刷画像データ等）を受信するための受信バッファ１６１を有している。また、Ｐ−ＣＯＮ２５０は、図３で前述の検出部１４からの各種検出信号やキーボード３からの各種指令や入力データなどの他、ＤＳ−ＩＦ１６と接続され、データサーバＤＳからの制御信号や各種（ダウンロード）データなどを、そのままあるいは加工して内部バス２６０に取り込むとともに、ＣＰＵ２１０と連動して、ＣＰＵ２１０等から内部バス２６０に出力されたデータや制御信号を、そのままあるいは加工して前述の駆動部１５やＤＳ−ＩＦ１６に出力する。
【０１８９】
そして、例えば図４６の第２の構成のデータサーバＤＳにおいて、長手方向印刷の場合、図６で前述の文字列「ＡＢＣＤＥ」のテキスト編集画面（Ｄ１０）と同様のテキスト編集画面を表示したり、あるいは印刷画像Ｇ００をイメージ画面表示等として表示している状態で、ユーザにより所定の印刷指示（印刷キーの押下等）が行われると、データサーバＤＳでは、「印刷中」のメッセージ表示等とともに、文字列「ＡＢＣＤＥ」の印刷画像Ｇ００の印刷画像データと、所要のカットの種類およびタイミング（ここでは図６（ｂ）のテープ送り方向の後端に対してフルカットｆｃ）を指示するカット指示データ（カット指示信号）と、をインタフェースＩＦを介して送信する。
【０１９０】
これに対して、テープ印刷装置１（１Ｂ）では、ＤＳ−ＩＦ１６によって印刷画像Ｇ００の印刷画像データおよびカット指示信号を受信しながら、その印刷画像Ｇ００を印刷し、後端のフルカットｈｃによりラベルＬ００を作成する。
【０１９１】
なお、仕様上、印刷画像Ｇ００を作成するための印刷画像作成用データ（テキストデータや要素画像データ等）を、そのまま、データサーバＤＳからインタフェースＩＦを介してテープ印刷装置１に送信し、テープ印刷装置１側で印刷画像Ｇ００（の印刷画像データ）の作成からラベル作成までを実行するように、規定しても良い。また、印刷画像データの形態で送信するか、上記の印刷画像作成用データの形態で送信するか、を選択できるようにしても良い。
【０１９２】
次に、幅方向印刷について、例えば前述の「自由幅印刷」の機能（図７のＤ２０等参照）のうち、印刷系（ファイル印刷、ファイル複数印刷）以外の機能は、データサーバＤＳ側のみで処理される。また、データサーバＤＳにおいて、ユーザにより例えば図３３〜図３６や図３８〜図４１等で前述の「ファイル印刷」や「ファイル複数印刷」が指示されると、「印刷中」等の同様のメッセージ表示等とともに、指定されたファイルに基づいて印刷画像Ｇ１０等（図１０、図１３〜図１５、図２２〜図２３、図２７、図３１〜図３２、図３７、図４２等参照）の印刷画像データおよびカット（ハーフカットｈｃやフルカットｆｃ）するためのカット指示信号をインタフェースＩＦを介して送信する。
【０１９３】
これに対して、テープ印刷装置１（１Ｂ）では、ＤＳ−ＩＦ１６によって印刷画像Ｇ１０等の印刷画像データおよびカット指示信号を受信しながら、その印刷画像Ｇ１０等を印刷し、カット処理によりラベルＬ１０等を作成する。
【０１９４】
上述のように、印刷システムＳＹＳにおいても、「自由幅印刷」（幅方向印刷）のために登録され印刷対象として選択・指定されたファイルに基づいて、幅方向印刷に適した印刷画像の作成・編集・印刷およびラベル作成を簡易且つ迅速に行うことができ、また、ファイルやその付随情報等によって、幅方向印刷によってラベル作成を行うときのラベル幅と印刷幅との各種の組合せを自在に設定でき、登録されたファイルを読み出すだけで、幅方向印刷に関する再設定を要することなく、所望の個別設定に基づくラベル作成を簡易且つ迅速に行うことができる、などの効果が得られる。
【０１９５】
なお、「自由幅印刷」（幅方向印刷）の場合についても、仕様上、「ファイル印刷」等において印刷対象として選択（指定）されたファイルのデータ（印刷画像作成用データ（テキストデータや要素画像データ等）およびその付随情報（前述のラベル幅や印刷幅や基準位置等の情報））を、そのまま、インタフェースＩＦを介して通信し、テープ印刷装置１側で印刷画像Ｇ１０等（の印刷画像データ）の作成からラベル作成までを実行するように、規定しても良い。また、この場合も、印刷画像データの形態で送信するか、上記のファイルのデータの形態で送信するか、を選択できるようにしても良い。
【０１９６】
また、上述の例では、データサーバＤＳ側において、ファイルを作成して内部に用意（登録・記憶）するものとして説明したが、図４６に示すように、外部からコンパクトディスク（ＣＤ、ＣＤ−ＲＯＭ）５０１等により既に作成済みのファイルとして供給することもでき、この場合、ＣＤ−ＲＯＭ５０１を入れ替えるだけで種々のファイルを用意でき、あるいは目的等に合わせて変更できる。
【０１９７】
また、各種処理を行うための制御プログラム（処理プログラム：専用のアプリケーションプログラム）についても、データサーバＤＳ内に元から準備（記憶）しておいても良いし、ファイル等とともにあるいは単独でＣＤ−ＲＯＭ５０１内に記憶しておき、それを（ダウンロード等してから）起動できるようにしても良い。また、この場合、一般的なオペレーションシステム（ＯＳ）で実行可能なアプリケーションにしておけば、そのＯＳを有するパソコン等にＣＤ−ＲＯＭ５０１を装着するだけで、利用できる。
【０１９８】
なお、上述の例では、ＣＤ−ＲＯＭを例に挙げたが、ＦＤ、ＭＯ、ＤＶＤ等、その他の記憶媒体を利用しても良い。また、図４６の構成でなく、図４５のようにネットワークＮＷを利用する場合には、そのネットワークＮＷを介してあるいはテープ印刷装置１の直接接続の装置（供給装置：図示の例ではＰＣ１またはＴＡ）を介して、そのネットワークＮＷに接続された各種の他の装置（図示の例ではＷＳ２やＷＳ３等）から各種ファイルや各種プログラムを受信できるので、各種の装置から受信するだけで、新たな各種のファイルやプログラムを記憶（用意）したり、変更したりすることができる。また、これらの場合、データサーバＤＳ側のプログラムには、その一部をテープ印刷装置１側にダウンロードして利用可能なテープ印刷装置１側のプログラムを含ませることもできる。
【０１９９】
また、上述の（第５）実施形態では、キーボード３やディスプレイ４等を有する操作部１１を備えたテープ印刷装置１（１Ｂ）を印刷装置として例示したが、全てまたは殆どの動作をデータサーバＤＳからの指示に従って行うような場合、印刷装置側に操作部１１等を要しないので、それらの機能を省略した構成とすることもできる。例えばテープ印刷装置１Ｂ（図４６および図４７参照）と同様のテープ印刷装置ではあっても、図４８および図４９に示すテープ印刷装置１Ｃのように、操作部１１等を省略した構成とすることもできる。
【０２００】
そして、上述の印刷システムＳＹＳの各種処理方法（各種のラベル作成方法やファイル処理方法等）は、プログラム処理可能な各種印刷システムによって処理されるプログラムとしても適用でき、その種のプログラムを記憶するための上述の各種の記憶媒体等にも適用でき、この種のプログラムを記憶しておいて、あるいは記憶媒体等から読み出して、あるいはネットワークを介してダウンロード等して、実行することにより、セパレートタイプの印刷システムであっても、幅方向印刷のために登録され指定されたファイルに基づいて、幅方向印刷に適した印刷画像の作成・編集・印刷およびラベル作成を簡易且つ迅速に行うことができ、また、ファイルやその付随情報等によって、幅方向印刷のラベル作成を行うときのラベル幅と印刷幅との各種の組合せを自在に設定でき、また、登録されたファイルを読み出すだけで、幅方向印刷に関する再設定を要することなく、所望の個別設定に基づくラベル作成を簡易且つ迅速に行うことができ、また、幅方向印刷のために用意して登録されたファイルのデータを長手方向印刷に流用でき、利便性や作業効率を向上できる、などの効果が得られる。もちろん、その他、要旨を逸脱しない範囲で、適宜変更も可能である。
【符号の説明】
【０２０１】
１：テープ印刷装置  ２：装置ケース  ３：キーボード  ４：ディスプレイ  ７：印刷ヘッド  １１：操作部  １２：印刷部  １３：切断部  １３Ｆ：フルカッタ部  １３Ｈ：ハーフカッタ部  １４：検出部  １５：駆動部  ２０：制御部  Ｃ：テープカートリッジ  ＤＳ：データサーバ  Ｄ〜：表示画面の例  ｆｃ：フルカット（部）  Ｇ〜：印刷画像の例  ｈｃ：ハーフカット（部）  ＩＦ：インタフェース  Ｋ：カーソル  Ｌ〜：ラベル  ＮＷ：ネットワーク  ＰＣ〜：パソコン  Ｒ：インクリボン  ＳＹＳ：印刷システム  Ｔ：テープ  ＴＡ：ターミナルアダプタ  ＷＳ〜：ワークステーション
【図１】
2011063032.tif 000003
【図２】
2011063032.tif 000004
【図３】
2011063032.tif 000005
【図４】
2011063032.tif 000006
【図５】
2011063032.tif 000007
【図６】
2011063032.tif 000008
【図７】
2011063032.tif 000009
【図８】
2011063032.tif 000010
【図９】
2011063032.tif 000011
【図１０】
2011063032.tif 000012
【図１１】
2011063032.tif 000013
【図１２】
2011063032.tif 000014
【図１３】
2011063032.tif 000015
【図１４】
2011063032.tif 000016
【図１５】
2011063032.tif 000017
【図１６】
2011063032.tif 000018
【図１７】
2011063032.tif 000019
【図１８】
2011063032.tif 000020
【図１９】
2011063032.tif 000021
【図２０】
2011063032.tif 000022
【図２１】
2011063032.tif 000023
【図２２】
2011063032.tif 000024
【図２３】
2011063032.tif 000025
【図２４】
2011063032.tif 000026
【図２５】
2011063032.tif 000027
【図２６】
2011063032.tif 000028
【図２７】
2011063032.tif 000029
【図２８】
2011063032.tif 000030
【図２９】
2011063032.tif 000031
【図３０】
2011063032.tif 000032
【図３１】
2011063032.tif 000033
【図３２】
2011063032.tif 000034
【図３３】
2011063032.tif 000035
【図３４】
2011063032.tif 000036
【図３５】
2011063032.tif 000037
【図３６】
2011063032.tif 000038
【図３７】
2011063032.tif 000039
【図３８】
2011063032.tif 000040
【図３９】
2011063032.tif 000041
【図４０】
2011063032.tif 000042
【図４１】
2011063032.tif 000043
【図４２】
2011063032.tif 000044
【図４３】
2011063032.tif 000045
【図４４】
2011063032.tif 000046
【図４５】
2011063032.tif 000047
【図４６】
2011063032.tif 000048
【図４７】
2011063032.tif 000049
【図４８】
2011063032.tif 000050
【図４９】
2011063032.tif 000051
【手続補正書】
【提出日】平成22年12月28日(2010.12.28)
【手続補正２】
【補正対象書類名】明細書
【補正対象項目名】０００１
【補正方法】変更
【補正の内容】
【０００１】
本発明は、印刷画像データをテープ印刷装置に供給する供給装置、印刷システムおよびデータ供給方法に関する。
【手続補正３】
【補正対象書類名】明細書
【補正対象項目名】０００５
【補正方法】変更
【補正の内容】
【０００５】
本発明は、セパレートタイプでありながらも、幅方向印刷に適した印刷画像の作成・印刷およびラベル作成を簡易且つ迅速に行うことができる供給装置、印刷システムおよびデータ供給方法を提供することを目的とする。
【手続補正４】
【補正対象書類名】明細書
【補正対象項目名】０００６
【補正方法】変更
【補正の内容】
【０００６】
本発明の供給装置は、印刷画像データに基づいて印刷を行うと共に、カット指示信号に基づいてテープを幅方向にカットしてラベルを作成するテープ印刷装置に対し、データを供給する供給装置であって、キャラクタ列の並び方向が前記テープの幅方向に一致する幅方向印刷を行うための複数行のキャラクタ列を入力する入力手段と、前記キャラクタ列の並び方向に対して垂直方向のラベルのサイズであるラベル幅を指定するラベル幅指定手段と、前記複数行のキャラクタ列を示すキャラクタデータに、前記ラベル幅の情報を含む付随情報を付随し、ファイルとして登録するファイル登録手段と、登録されたファイルのうち、印刷対象となる複数のファイルを指定するファイル指定手段と、指定された前記複数のファイルに付随されている前記ラベル幅の情報に基づいて、前記ラベル幅の合計サイズである合計ラベル幅を算出する合計ラベル幅算出手段と、指定された前記複数のファイルの前記キャラクタデータを合成した前記印刷画像データと、算出された前記合計ラベル幅に基づく前記カット指示信号と、を生成するデータ生成手段と、生成した前記印刷画像データおよび前記カット指示信号を、前記テープ印刷装置に対して送信するデータ送信手段と、を備えたことを特徴とする。
上述の供給装置において、前記ラベル幅指定手段は、数値入力により前記ラベル幅を指定することが好ましい。
本発明の印刷システムは、上述の供給装置と、前記テープ印刷装置と、を備えたことを特徴とする。
本発明のデータ供給方法は、印刷画像データに基づいて印刷を行うと共に、カット指示信号に基づいてテープを幅方向にカットしてラベルを作成するテープ印刷装置に対し、データを供給するデータ供給方法であって、キャラクタ列の並び方向が前記テープの幅方向に一致する幅方向印刷を行うための複数行のキャラクタ列を取得するステップと、前記キャラクタ列の並び方向に対して垂直方向のラベルのサイズであるラベル幅の指定結果を取得するステップと、前記複数行のキャラクタ列を示すキャラクタデータに、前記ラベル幅の情報を含む付随情報を付随し、ファイルとして登録するステップと、登録されたファイルのうち、印刷対象となる複数のファイルの指定結果を取得するステップと、指定された前記複数のファイルに付随されている前記ラベル幅の情報に基づいて、前記ラベル幅の合計サイズである合計ラベル幅を算出するステップと、指定された前記複数のファイルの前記キャラクタデータを合成した前記印刷画像データと、算出された前記合計ラベル幅に基づく前記カット指示信号と、を生成するステップと、生成した前記印刷画像データおよび前記カット指示信号を、前記テープ印刷装置に対して送信するステップと、を実行することを特徴とする。
なお、以下の構成としても良い。
本発明の印刷システムは、キャラクタ列の並び方向がテープの長手方向に一致する長手方向印刷および前記並び方向が前記テープの幅方向に一致する幅方向印刷のいずれかを選択して、前記キャラクタ列の画像を配置した印刷画像を表現する通信用データを用意して、これを送信可能なインタフェースを介して供給する供給装置と、前記通信用データを前記インタフェースを介して受信して、前記通信用データに基づいて前記印刷画像をテープに印刷し、それを前記テープの幅方向にカットしてラベルを作成するテープ印刷装置と、を備えたことを特徴とする。
【手続補正５】
【補正対象書類名】明細書
【補正対象項目名】００３４
【補正方法】変更
【補正の内容】
【００３４】
以下、本発明の一実施形態に係る供給装置、印刷システムおよびデータ供給方法について、添付図面を参照しながら詳細に説明する。
【手続補正６】
【補正対象書類名】特許請求の範囲
【補正対象項目名】全文
【補正方法】変更
【補正の内容】
【特許請求の範囲】
【請求項１】
印刷画像データに基づいて印刷を行うと共に、カット指示信号に基づいてテープを幅方向にカットしてラベルを作成するテープ印刷装置に対し、データを供給する供給装置であって、
キャラクタ列の並び方向が前記テープの幅方向に一致する幅方向印刷を行うための複数行のキャラクタ列を入力する入力手段と、
前記キャラクタ列の並び方向に対して垂直方向のラベルのサイズであるラベル幅を指定するラベル幅指定手段と、
前記複数行のキャラクタ列を示すキャラクタデータに、前記ラベル幅の情報を含む付随情報を付随し、ファイルとして登録するファイル登録手段と、
登録されたファイルのうち、印刷対象となる複数のファイルを指定するファイル指定手段と、
指定された前記複数のファイルに付随されている前記ラベル幅の情報に基づいて、前記ラベル幅の合計サイズである合計ラベル幅を算出する合計ラベル幅算出手段と、
指定された前記複数のファイルの前記キャラクタデータを合成した前記印刷画像データと、算出された前記合計ラベル幅に基づく前記カット指示信号と、を生成するデータ生成手段と、
生成した前記印刷画像データおよび前記カット指示信号を、前記テープ印刷装置に対して送信するデータ送信手段と、を備えたことを特徴とする供給装置。
【請求項２】
前記ラベル幅指定手段は、数値入力により前記ラベル幅を指定することを特徴とする請求項１に記載の供給装置。
【請求項３】
請求項１または２に記載の供給装置と、前記テープ印刷装置と、を備えたことを特徴とする印刷システム。
【請求項４】
印刷画像データに基づいて印刷を行うと共に、カット指示信号に基づいてテープを幅方向にカットしてラベルを作成するテープ印刷装置に対し、データを供給するデータ供給方法であって、
キャラクタ列の並び方向が前記テープの幅方向に一致する幅方向印刷を行うための複数行のキャラクタ列を取得するステップと、
前記キャラクタ列の並び方向に対して垂直方向のラベルのサイズであるラベル幅の指定結果を取得するステップと、
前記複数行のキャラクタ列を示すキャラクタデータに、前記ラベル幅の情報を含む付随情報を付随し、ファイルとして登録するステップと、
登録されたファイルのうち、印刷対象となる複数のファイルの指定結果を取得するステップと、
指定された前記複数のファイルに付随されている前記ラベル幅の情報に基づいて、前記ラベル幅の合計サイズである合計ラベル幅を算出するステップと、
指定された前記複数のファイルの前記キャラクタデータを合成した前記印刷画像データと、算出された前記合計ラベル幅に基づく前記カット指示信号と、を生成するステップと、
生成した前記印刷画像データおよび前記カット指示信号を、前記テープ印刷装置に対して送信するステップと、を実行することを特徴とするデータ供給方法。